(57)【要約】  画像符号化方法は、現ピクチャをブロック毎に符号化する画像符号化方法であって、現ピクチャの符号化において参照可能な参照ピクチャに参照ピクチャインデックスを割り当てて、参照ピクチャインデックスが割り当てられた参照ピクチャを含む参照ピクチャリストを生成する生成ステップ（Ｓ１００１）と、現ピクチャに含まれる現ブロックの符号化において参照される参照ピクチャを参照ピクチャリストから特定し、特定された参照ピクチャを参照して、現ブロックを符号化する符号化ステップ（Ｓ１００２）とを含み、生成ステップ（Ｓ１００１）では、現ピクチャが属する現ビューとは異なる参照ビューに属する参照ピクチャが現ピクチャの符号化において参照される可能性がある場合、参照ビューに属する参照ピクチャを参照ピクチャリストに追加する。
2013128832.tif 000002
【特許請求の範囲】
【請求項１】
現ピクチャをブロック毎に符号化する画像符号化方法であって、
前記現ピクチャの符号化において参照可能な参照ピクチャに参照ピクチャインデックスを割り当てて、前記参照ピクチャインデックスが割り当てられた前記参照ピクチャを含む参照ピクチャリストを生成する生成ステップと、
前記現ピクチャに含まれる現ブロックの符号化において参照される参照ピクチャを前記参照ピクチャリストから特定し、特定された前記参照ピクチャを参照して、前記現ブロックを符号化する符号化ステップとを含み、
前記生成ステップでは、前記現ピクチャが属する現ビューとは異なる参照ビューに属する参照ピクチャが前記現ピクチャの符号化において参照される可能性がある場合、前記参照ビューに属する参照ピクチャを前記参照ピクチャリストに追加する
画像符号化方法。
【請求項２】
前記生成ステップでは、パラメータを用いて前記参照ピクチャリストを生成し、
前記符号化ステップでは、さらに、前記参照ピクチャリストの生成に用いられた前記パラメータを符号化する
請求項１に記載の画像符号化方法。
【請求項３】
前記生成ステップでは、さらに、前記参照ビューに属する参照ピクチャが前記現ピクチャの符号化において参照される可能性がある場合、
前記現ビューに属する参照可能な参照ピクチャの数である第１の数に、前記参照ビューに属する参照可能な参照ピクチャの数である第２の数を加算することによって、前記現ピクチャの符号化において参照可能な参照ピクチャの数である第３の数を算出し、
前記参照ピクチャリストに含まれる前記参照ピクチャに対して割り当てられた前記参照ピクチャインデックスを修正するための修正リストの値の範囲を、前記第３の数に基づいて決定する
請求項１または２に記載の画像符号化方法。
【請求項４】
前記生成ステップでは、さらに、前記現ビューがノンベースビューであるか否かに基づいて、前記参照ビューに属する参照ピクチャが前記現ピクチャの符号化において参照される可能性があるか否かを判定する
請求項１〜３のいずれか１項に記載の画像符号化方法。
【請求項５】
前記生成ステップでは、さらに、符号化順で前記現ビューに対して割り当てられたビューオーダーインデックスに基づいて、前記現ビューがノンベースビューであるか否かを判定する
請求項４に記載の画像符号化方法。
【請求項６】
現ピクチャをブロック毎に復号する画像復号方法であって、
前記現ピクチャの復号において参照可能な参照ピクチャに参照ピクチャインデックスを割り当てて、前記参照ピクチャインデックスが割り当てられた前記参照ピクチャを含む参照ピクチャリストを生成する生成ステップと、
前記現ピクチャに含まれる現ブロックの復号において参照される参照ピクチャを前記参照ピクチャリストから特定し、特定された前記参照ピクチャを参照して、前記現ブロックを復号する復号ステップとを含み、
前記生成ステップでは、前記現ピクチャが属する現ビューとは異なる参照ビューに属する参照ピクチャが前記現ピクチャの復号において参照される可能性がある場合、前記参照ビューに属する参照ピクチャを前記参照ピクチャリストに追加する
画像復号方法。
【請求項７】
前記復号ステップでは、さらに、前記参照ピクチャリストの生成に用いられるパラメータを復号し、
前記生成ステップでは、復号された前記パラメータを用いて、前記参照ピクチャリストを生成する
請求項６に記載の画像復号方法。
【請求項８】
前記生成ステップでは、さらに、前記参照ビューに属する参照ピクチャが前記現ピクチャの復号において参照される可能性がある場合、
前記現ビューに属する参照可能な参照ピクチャの数である第１の数に、前記参照ビューに属する参照可能な参照ピクチャの数である第２の数を加算することによって、前記現ピクチャの復号において参照可能な参照ピクチャの数である第３の数を算出し、
前記参照ピクチャリストに含まれる前記参照ピクチャに対して割り当てられた前記参照ピクチャインデックスを修正するための修正リストの値の範囲を、前記第３の数に基づいて決定する
請求項６または７に記載の画像復号方法。
【請求項９】
前記生成ステップでは、さらに、前記現ビューがノンベースビューであるか否かに基づいて、前記参照ビューに属する参照ピクチャが前記現ピクチャの復号において参照される可能性があるか否かを判定する
請求項６〜８のいずれか１項に記載の画像復号方法。
【請求項１０】
前記生成ステップでは、さらに、復号順で前記現ビューに対して割り当てられたビューオーダーインデックスに基づいて、前記現ビューがノンベースビューであるか否かを判定する
請求項９に記載の画像復号方法。
【請求項１１】
現ピクチャをブロック毎に符号化する画像符号化装置であって、
前記現ピクチャの符号化において参照可能な参照ピクチャに参照ピクチャインデックスを割り当てて、前記参照ピクチャインデックスが割り当てられた前記参照ピクチャを含む参照ピクチャリストを生成する生成部と、
前記現ピクチャに含まれる現ブロックの符号化において参照される参照ピクチャを前記参照ピクチャリストから特定し、特定された前記参照ピクチャを参照して、前記現ブロックを符号化する符号化部とを備え、
前記生成部は、前記現ピクチャが属する現ビューとは異なる参照ビューに属する参照ピクチャが前記現ピクチャの符号化において参照される可能性がある場合、前記参照ビューに属する参照ピクチャを前記参照ピクチャリストに追加する
画像符号化装置。
【請求項１２】
現ピクチャをブロック毎に復号する画像復号装置であって、
前記現ピクチャの復号において参照可能な参照ピクチャに参照ピクチャインデックスを割り当てて、前記参照ピクチャインデックスが割り当てられた前記参照ピクチャを含む参照ピクチャリストを生成する生成部と、
前記現ピクチャに含まれる現ブロックの復号において参照される参照ピクチャを前記参照ピクチャリストから特定し、特定された前記参照ピクチャを参照して、前記現ブロックを復号する復号部とを備え、
前記生成部は、前記現ピクチャが属する現ビューとは異なる参照ビューに属する参照ピクチャが前記現ピクチャの復号において参照される可能性がある場合、前記参照ビューに属する参照ピクチャを前記参照ピクチャリストに追加する
画像復号装置。
【請求項１３】
請求項１１に記載の画像符号化装置と、
請求項１２に記載の画像復号装置とを備える
画像符号化復号装置。
【発明の詳細な説明】
【技術分野】
【０００１】
本発明は、ピクチャをブロック毎に符号化する画像符号化方法に関する。
【背景技術】
【０００２】
ピクチャをブロック毎に符号化する画像符号化方法に関する技術として、非特許文献１に記載の技術がある。
【先行技術文献】
【非特許文献】
【０００３】
【非特許文献１】ＩＴＵ−Ｔ  Ｒｅｃｏｍｍｅｎｄａｔｉｏｎ  Ｈ．２６４「Ａｄｖａｎｃｅｄ  ｖｉｄｅｏ  ｃｏｄｉｎｇ  ｆｏｒ  ｇｅｎｅｒｉｃ  ａｕｄｉｏｖｉｓｕａｌ  ｓｅｒｖｉｃｅｓ」、２０１０年３月
【発明の概要】
【発明が解決しようとする課題】
【０００４】
しかしながら、近年、高精細画像（４Ｋ×２Ｋ）の放送およびコンテンツ配信が検討されている。そのため、より高い符号化効率が期待されている。【０００５】
そこで、本発明は、画像の符号化における符号化効率を向上させることができる画像符号化方法を提供する。
【課題を解決するための手段】
【０００６】
本発明の一態様に係る画像符号化方法は、現ピクチャをブロック毎に符号化する画像符号化方法であって、前記現ピクチャの符号化において参照可能な参照ピクチャに参照ピクチャインデックスを割り当てて、前記参照ピクチャインデックスが割り当てられた前記参照ピクチャを含む参照ピクチャリストを生成する生成ステップと、前記現ピクチャに含まれる現ブロックの符号化において参照される参照ピクチャを前記参照ピクチャリストから特定し、特定された前記参照ピクチャを参照して、前記現ブロックを符号化する符号化ステップとを含み、前記生成ステップでは、前記現ピクチャが属する現ビューとは異なる参照ビューに属する参照ピクチャが前記現ピクチャの符号化において参照される可能性がある場合、前記参照ビューに属する参照ピクチャを前記参照ピクチャリストに追加する。【０００７】
なお、これらの包括的または具体的な態様は、システム、装置、集積回路、コンピュータプログラムまたはコンピュータ読み取り可能なＣＤ−ＲＯＭなどの非一時的な記録媒体で実現されてもよく、システム、装置、方法、集積回路、コンピュータプログラムおよび記録媒体の任意な組み合わせで実現されてもよい。
【発明の効果】
【０００８】
本発明の一態様に係る画像符号化方法は、画像の符号化における符号化効率を向上させることができる。
【図面の簡単な説明】
【０００９】
【図１】図１は、参照ピクチャリストの例を示す図である。
【図２】図２は、実施の形態１に係る画像符号化装置の構成を示すブロック図である。
【図３】図３は、実施の形態１に係る画像符号化装置の動作を示すフローチャートである。
【図４】図４は、実施の形態１に係る隣接ブロックの例を示す図である。
【図５】図５は、実施の形態１に係る予測動きベクトル候補を示す図である。
【図６】図６は、実施の形態１に係る予測動きベクトルインデックスの決定処理を示すフローチャートである。
【図７】図７は、実施の形態１の第１例に係る参照ピクチャリストの算出処理を示すフローチャートである。
【図８】図８は、実施の形態１の第１例に係る第１予測方向の参照ピクチャリストの算出処理を示すフローチャートである。
【図９】図９は、実施の形態１の第１例に係る第２予測方向の参照ピクチャリストの算出処理を示すフローチャートである。
【図１０】図１０は、実施の形態１の第１例に係る参照ピクチャを示す概念図である。
【図１１Ａ】図１１Ａは、実施の形態１に係るシーケンスパラメータセットのシンタックスを示す図である。
【図１１Ｂ】図１１Ｂは、実施の形態１に係るスライスヘッダのシンタックスを示す図である。
【図１１Ｃ】図１１Ｃは、実施の形態１に係るショートタームピクチャを指定するためのシンタックスを示す図である。
【図１１Ｄ】図１１Ｄは、実施の形態１に係る参照ピクチャリストを修正するためのシンタックスを示す図である。
【図１２Ａ】図１２Ａは、実施の形態１に係る第１予測方向の一時的な参照ピクチャリストへの追加処理を示す図である。
【図１２Ｂ】図１２Ｂは、実施の形態１に係る第１予測方向の最終的な参照ピクチャリストへの追加処理を示す図である。
【図１２Ｃ】図１２Ｃは、実施の形態１に係る第２予測方向の一時的な参照ピクチャリストへの追加処理を示す図である。
【図１２Ｄ】図１２Ｄは、実施の形態１に係る第２予測方向の最終的な参照ピクチャリストへの追加処理を示す図である。
【図１３】図１３は、実施の形態１の第２例に係る参照ピクチャリストの算出処理を示すフローチャートである。
【図１４】図１４は、実施の形態１の第２例に係る第１予測方向の参照ピクチャリストの算出処理を示すフローチャートである。
【図１５】図１５は、実施の形態１の第２例に係る第２予測方向の参照ピクチャリストの算出処理を示すフローチャートである。
【図１６】図１６は、実施の形態１の第２例に係る参照ピクチャを示す概念図である。
【図１７】図１７は、実施の形態２に係る画像復号装置の構成を示すブロック図である。
【図１８】図１８は、実施の形態２に係る画像復号装置の動作を示すフローチャートである。
【図１９】図１９は、実施の形態３に係る画像符号化装置の構成を示すブロック図である。
【図２０】図２０は、実施の形態３に係る画像符号化装置の動作を示すフローチャートである。
【図２１】図２１は、実施の形態３に係る画像復号装置の構成を示すブロック図である。
【図２２】図２２は、実施の形態３に係る画像復号装置の動作を示すフローチャートである。
【図２３】図２３は、コンテンツ配信サービスを実現するコンテンツ供給システムの全体構成図である。
【図２４】図２４は、デジタル放送用システムの全体構成図である。
【図２５】図２５は、テレビの構成例を示すブロック図である。
【図２６】図２６は、光ディスクである記録メディアに情報の読み書きを行う情報再生／記録部の構成例を示すブロック図である。
【図２７】図２７は、光ディスクである記録メディアの構造例を示す図である。
【図２８Ａ】図２８Ａは、携帯電話の一例を示す図である。
【図２８Ｂ】図２８Ｂは、携帯電話の構成例を示すブロック図である。
【図２９】図２９は、多重化データの構成を示す図である。
【図３０】図３０は、各ストリームが多重化データにおいてどのように多重化されているかを模式的に示す図である。
【図３１】図３１は、ＰＥＳパケット列に、ビデオストリームがどのように格納されるかを更に詳しく示した図である。
【図３２】図３２は、多重化データにおけるＴＳパケットとソースパケットの構造を示す図である。
【図３３】図３３は、ＰＭＴのデータ構成を示す図である。
【図３４】図３４は、多重化データ情報の内部構成を示す図である。
【図３５】図３５は、ストリーム属性情報の内部構成を示す図である。
【図３６】図３６は、映像データを識別するステップを示す図である。
【図３７】図３７は、各実施の形態の動画像符号化方法および動画像復号化方法を実現する集積回路の構成例を示すブロック図である。
【図３８】図３８は、駆動周波数を切り替える構成を示す図である。
【図３９】図３９は、映像データを識別し、駆動周波数を切り替えるステップを示す図である。
【図４０】図４０は、映像データの規格と駆動周波数を対応づけたルックアップテーブルの一例を示す図である。
【図４１Ａ】図４１Ａは、信号処理部のモジュールを共有化する構成の一例を示す図である。
【図４１Ｂ】図４１Ｂは、信号処理部のモジュールを共有化する構成の他の一例を示す図である。
【発明を実施するための形態】
【００１０】
（本発明の基礎となった知見）
本発明者は、ピクチャをブロック毎に符号化する画像符号化方法に関して、課題を見出した。以下、具体的に説明する。
【００１１】
画像符号化処理では、一般に、画像が有する空間方向および時間方向の冗長性を利用して情報量の圧縮が行われる。空間方向の冗長性を利用する方法としては、周波数領域への変換が用いられ、時間方向の冗長性を利用する方法としては、ピクチャ間予測（以降、インター予測と呼ぶ）符号化処理が用いられる。
【００１２】
画像符号化装置は、インター予測符号化処理で符号化対象ピクチャ（現ピクチャ）を符号化する際に、符号化対象ピクチャに対して表示時間順で前方または後方にある符号化済みのピクチャを、参照ピクチャとして用いる。そして、画像符号化装置は、その参照ピクチャに対する符号化対象ピクチャの動き検出により、動きベクトルを導出する。
【００１３】
そして、画像符号化装置は、動きベクトルに基づいて動き補償を行って得られた予測画像データと、符号化対象ピクチャの画像データとの差分を取得することにより、時間方向の冗長性を取り除く。
【００１４】
また、画像符号化装置は、動き検出において、符号化対象ピクチャ内の符号化対象ブロック（現ブロック）と、参照ピクチャ内のブロックとの差分値を算出し、最も差分値の小さい参照ピクチャ内のブロックを参照ブロックとして特定する。そして、画像符号化装置は、符号化対象ブロックと、参照ブロックとを用いて、動きベクトルを検出する。
【００１５】
Ｈ．２６４と呼ばれる画像符号化方式が既に標準化されている（非特許文献１）。この画像符号化方式では、情報量の圧縮のために、Ｉピクチャ、ＰピクチャおよびＢピクチャという３種類のピクチャタイプが用いられる。
【００１６】
Ｉピクチャは、インター予測符号化処理が行われない、すなわち、ピクチャ内予測（以降、イントラ予測と呼ぶ）符号化処理が行われるピクチャである。Ｐピクチャは、表示時間順で、符号化対象ピクチャの前方または後方にある既に符号化済みの１つのピクチャを参照するインター予測符号化が行われるピクチャである。Ｂピクチャは、表示時間順で、符号化対象ピクチャの前方または後方にある既に符号化済みの２つのピクチャを参照するインター予測符号化が行われるピクチャである。
【００１７】
画像符号化装置は、インター予測符号化において、参照ピクチャを特定するための参照ピクチャリストを生成する。参照ピクチャリストは、インター予測で参照される符号化済みの参照ピクチャに参照ピクチャインデックスが割り当てられたリストである。例えば、画像符号化装置は、２つのピクチャを参照してＢピクチャを符号化するため、２つの参照ピクチャリスト（Ｌ０、Ｌ１）を保持する。
【００１８】
図１は、Ｂピクチャにおける参照ピクチャリストの例を示す。図１における第１参照ピクチャリスト（Ｌ０）は、双方向予測における第１予測方向の参照ピクチャリストの例である。「０」の参照ピクチャインデックスには、表示順が２である参照ピクチャＲ３が割り当てられている。「１」の参照ピクチャインデックスには、表示順が１であるの参照ピクチャＲ２が割り当てられている。「２」の参照ピクチャインデックスには、表示順が０である参照ピクチャＲ１が割り当てられている。
【００１９】
つまり、符号化対象ピクチャに対して、表示順で、時間的に符号化対象ピクチャに近い程、小さい参照ピクチャインデックスが割り当てられている。
【００２０】
一方、第２参照ピクチャリスト（Ｌ１）は、双方向予測における第２予測方向の参照ピクチャリストの例である。「０」の参照ピクチャインデックスには、表示順が１である参照ピクチャＲ２が割り当てられている。「１」の参照ピクチャインデックスには、表示順が２である参照ピクチャＲ３が割り当てられている。「２」の参照ピクチャインデックスには、表示順が０である参照ピクチャＲ１が割り当てられている。
【００２１】
このように、２つの予測方向に対応する２つの参照ピクチャリストにおいて、１つの参照ピクチャに異なる参照ピクチャインデックスが割り当てられてもよい（図１の参照ピクチャＲ２およびＲ３）。また、２つの参照ピクチャリストにおいて、１つの参照ピクチャに同じ参照ピクチャインデックスが割り当てられてもよい（図１の参照ピクチャＲ１）。この参照ピクチャリストに関して、現在新たな算出方法が検討されている。
【００２２】
しかしながら、現在検討されている算出方法では、他のビューまたは他のレイヤに属するピクチャを参照して符号化対象ピクチャを符号化することが考慮されていない。例えば、ＭＶＣ（Ｍｕｌｔｉｖｉｅｗ  Ｖｉｄｅｏ  Ｃｏｄｉｎｇ：多視点映像符号化）に係る画像符号化装置は、ベースビューのピクチャを参照して、ノンベースビューのピクチャを符号化する場合がある。現在検討されている算出方法では、このような符号化が考慮されていない。
【００２３】
そこで、本発明の一態様に係る画像符号化方法は、現ピクチャをブロック毎に符号化する画像符号化方法であって、前記現ピクチャの符号化において参照可能な参照ピクチャに参照ピクチャインデックスを割り当てて、前記参照ピクチャインデックスが割り当てられた前記参照ピクチャを含む参照ピクチャリストを生成する生成ステップと、前記現ピクチャに含まれる現ブロックの符号化において参照される参照ピクチャを前記参照ピクチャリストから特定し、特定された前記参照ピクチャを参照して、前記現ブロックを符号化する符号化ステップとを含み、前記生成ステップでは、前記現ピクチャが属する現ビューとは異なる参照ビューに属する参照ピクチャが前記現ピクチャの符号化において参照される可能性がある場合、前記参照ビューに属する参照ピクチャを前記参照ピクチャリストに追加する。
【００２４】
これにより、ビュー間予測が可能である場合、参照ピクチャリストにビュー間予測のための参照ピクチャが追加される。したがって、参照ピクチャリストから、より適切な参照ピクチャの選択が可能である。よって、符号化効率が向上する。
【００２５】
例えば、前記生成ステップでは、パラメータを用いて前記参照ピクチャリストを生成し、前記符号化ステップでは、さらに、前記参照ピクチャリストの生成に用いられた前記パラメータを符号化してもよい。
【００２６】
これにより、符号化処理と復号処理との両方において、同じパラメータを用いて、同じ参照ピクチャリストを生成することが可能である。したがって、参照ピクチャリストの柔軟な変更が可能である。よって、適切な符号化が可能である。
【００２７】
また、例えば、前記生成ステップでは、さらに、前記参照ビューに属する参照ピクチャが前記現ピクチャの符号化において参照される可能性がある場合、前記現ビューに属する参照可能な参照ピクチャの数である第１の数に、前記参照ビューに属する参照可能な参照ピクチャの数である第２の数を加算することによって、前記現ピクチャの符号化において参照可能な参照ピクチャの数である第３の数を算出し、前記参照ピクチャリストに含まれる前記参照ピクチャに対して割り当てられた前記参照ピクチャインデックスを修正するための修正リストの値の範囲を、前記第３の数に基づいて決定してもよい。
【００２８】
これにより、参照可能な参照ピクチャの数に対応する適切な範囲で、参照ピクチャインデックスの修正が可能である。
【００２９】
また、例えば、前記生成ステップでは、さらに、前記現ビューがノンベースビューであるか否かに基づいて、前記参照ビューに属する参照ピクチャが前記現ピクチャの符号化において参照される可能性があるか否かを判定してもよい。
【００３０】
これにより、符号化対象ピクチャを含むビューとは異なるビューに含まれる参照ピクチャが参照可能であるか否かが適切に判定される。
【００３１】
また、例えば、前記生成ステップでは、さらに、符号化順で前記現ビューに対して割り当てられたビューオーダーインデックスに基づいて、前記現ビューがノンベースビューであるか否かを判定してもよい。
【００３２】
これにより、符号化対象ピクチャを含むビューがノンベースビューであるか否かが適切に判定される。
【００３３】
また、本発明の一態様に係る画像復号方法は、現ピクチャをブロック毎に復号する画像復号方法であって、前記現ピクチャの復号において参照可能な参照ピクチャに参照ピクチャインデックスを割り当てて、前記参照ピクチャインデックスが割り当てられた前記参照ピクチャを含む参照ピクチャリストを生成する生成ステップと、前記現ピクチャに含まれる現ブロックの復号において参照される参照ピクチャを前記参照ピクチャリストから特定し、特定された前記参照ピクチャを参照して、前記現ブロックを復号する復号ステップとを含み、前記生成ステップでは、前記現ピクチャが属する現ビューとは異なる参照ビューに属する参照ピクチャが前記現ピクチャの復号において参照される可能性がある場合、前記参照ビューに属する参照ピクチャを前記参照ピクチャリストに追加してもよい。
【００３４】
これにより、ビュー間予測が可能である場合、参照ピクチャリストにビュー間予測のための参照ピクチャが追加される。したがって、参照ピクチャリストから、より適切な参照ピクチャの選択が可能である。したがって、高効率の符号化に対応する復号が可能である。
【００３５】
例えば、前記復号ステップでは、さらに、前記参照ピクチャリストの生成に用いられるパラメータを復号し、前記生成ステップでは、復号された前記パラメータを用いて、前記参照ピクチャリストを生成してもよい。
【００３６】
これにより、符号化処理と復号処理との両方において、同じパラメータを用いて、同じ参照ピクチャリストを生成することが可能である。したがって、参照ピクチャリストの柔軟な変更が可能である。よって、適切な復号が可能である。
【００３７】
また、例えば、前記生成ステップでは、さらに、前記参照ビューに属する参照ピクチャが前記現ピクチャの復号において参照される可能性がある場合、前記現ビューに属する参照可能な参照ピクチャの数である第１の数に、前記参照ビューに属する参照可能な参照ピクチャの数である第２の数を加算することによって、前記現ピクチャの復号において参照可能な参照ピクチャの数である第３の数を算出し、前記参照ピクチャリストに含まれる前記参照ピクチャに対して割り当てられた前記参照ピクチャインデックスを修正するための修正リストの値の範囲を、前記第３の数に基づいて決定してもよい。
【００３８】
これにより、参照可能な参照ピクチャの数に対応する適切な範囲で、参照ピクチャインデックスの修正が可能である。
【００３９】
また、例えば、前記生成ステップでは、さらに、前記現ビューがノンベースビューであるか否かに基づいて、前記参照ビューに属する参照ピクチャが前記現ピクチャの復号において参照される可能性があるか否かを判定してもよい。
【００４０】
これにより、復号対象ピクチャを含むビューとは異なるビューに含まれる参照ピクチャが参照可能であるか否かが適切に判定される。
【００４１】
また、例えば、前記生成ステップでは、さらに、復号順で前記現ビューに対して割り当てられたビューオーダーインデックスに基づいて、前記現ビューがノンベースビューであるか否かを判定してもよい。
【００４２】
これにより、復号対象ピクチャを含むビューがノンベースビューであるか否かが適切に判定される。
【００４３】
なお、これらの包括的または具体的な態様は、システム、装置、集積回路、コンピュータプログラムまたはコンピュータ読み取り可能なＣＤ−ＲＯＭなどの非一時的な記録媒体で実現されてもよく、システム、装置、方法、集積回路、コンピュータプログラムまたは記録媒体の任意な組み合わせで実現されてもよい。
【００４４】
以下、本発明の実施の形態について、図面を参照しながら説明する。なお、以下で説明する実施の形態は、いずれも包括的または具体的な例を示すものである。以下の実施の形態で示される数値、形状、材料、構成要素、構成要素の配置位置および接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００４５】
（実施の形態１）
図２は、本実施の形態に係る画像符号化装置の構成を示すブロック図である。図２の通り、画像符号化装置１００は、減算部１０１、直交変換部１０２、量子化部１０３、逆量子化部１０５、逆直交変換部１０６、加算部１０７、ブロックメモリ１０８、フレームメモリ１０９、イントラ予測部１１０、インター予測部１１１、切り替え部１１２、インター予測制御部１１４、参照ピクチャリスト算出部１１５、ピクチャタイプ決定部１１３、予測動きベクトル候補算出部１１６、および、可変長符号化部１０４を備える。
【００４６】
直交変換部１０２は、入力画像に対し、画素領域から、周波数領域への変換を行う。量子化部１０３は、周波数領域に変換された入力画像に対し、量子化処理を行う。逆量子化部１０５は、量子化部１０３により、量子化処理された入力画像に対し、逆量子化処理を行う。逆直交変換部１０６は、逆量子化処理された入力画像に対し、周波数領域から、画素領域への変換を行う。
【００４７】
ブロックメモリ１０８は、入力画像をブロック単位で保存し、フレームメモリ１０９は、入力画像をフレーム単位で保存する。ピクチャタイプ決定部１１３は、Ｉピクチャ、ＢピクチャおよびＰピクチャのいずれのピクチャタイプで入力画像を符号化するかを決定し、ピクチャタイプ情報を生成する。
【００４８】
イントラ予測部１１０は、ブロックメモリ１０８に保存されているブロック単位の入力画像を用いて、符号化対象ブロックをイントラ予測により符号化し、予測画像データを生成する。インター予測部１１１は、フレームメモリ１０９に保存されているフレーム単位の入力画像と、動き検出等により導出された動きベクトルとを用いて、符号化対象ブロックをインター予測により符号化し、予測画像データを生成する。
【００４９】
予測動きベクトル候補算出部１１６は、予測動きベクトル指定モードの予測動きベクトル候補を導出する。予測動きベクトル候補は、符号化対象ブロックの隣接ブロック、および、既に符号化済みのピクチャに含まれるｃｏ−ｌｏｃａｔｅｄブロックの動きベクトル等のｃｏｌＰｉｃ情報を用いて導出される。予測動きベクトル指定モードの予測動きベクトル候補は、動きベクトルの符号化に用いられる予測動きベクトルの候補である。そして、予測動きベクトル候補算出部１１６は、予測動きベクトル候補数を算出する。
【００５０】
また、予測動きベクトル候補算出部１１６は、導出された予測動きベクトル候補に対して、予測動きベクトルインデックスの値を割り当てる。そして、予測動きベクトル候補算出部１１６は、予測動きベクトル候補と、予測動きベクトルインデックスとを、インター予測制御部１１４に送る。また、予測動きベクトル候補算出部１１６は、算出した予測動きベクトル候補数を可変長符号化部１０４に送信する。
【００５１】
インター予測制御部１１４は、インター予測部１１１と共に、動き検出により導出された動きベクトルを用いてインター予測画像を生成する。そして、インター予測制御部１１４は、インター予測部１１１と共に、インター予測画像を用いて、インター予測符号化を行う。
【００５２】
また、インター予測制御部１１４は、インター予測符号化に用いられた動きベクトルの符号化に最適な予測動きベクトル候補を後述する方法で選択する。そして、インター予測制御部１１４は、選択された予測動きベクトル候補に対応する予測動きベクトルインデックスと、予測の誤差情報とを、可変長符号化部１０４に送る。
【００５３】
参照ピクチャリスト算出部１１５は、後述する方法で、符号化対象ピクチャ、または、スライスを符号化するための参照ピクチャリストを算出し、インター予測制御部１１４、および、予測動きベクトル候補算出部１１６に出力する。そして、参照ピクチャリスト算出部１１５は、符号化に用いられた参照ピクチャリストを算出するためのパラメータを、参照ピクチャリスト情報として、可変長符号化部１０４に出力する。
【００５４】
直交変換部１０２は、生成された予測画像データと、入力画像との予測誤差データに対し、画素領域から、周波数領域への変換を行う。量子化部１０３は、周波数領域へ変換された予測誤差データに対し、量子化処理を行う。
【００５５】
可変長符号化部１０４は、量子化処理された予測誤差データ、予測方向フラグ、ピクチャタイプ情報、および、参照ピクチャリスト情報に対し、可変長符号化処理を行うことで、ビットストリームを生成する。また、可変長符号化部１０４は、予測動きベクトル候補数を予測動きベクトル候補リストのサイズに設定する。そして、可変長符号化部１０４は、動きベクトル符号化に用いられた予測動きベクトルインデックスに、予測動きベクトル候補リストのサイズに応じて定められたビット列を割り当てて可変長符号化を行う。
【００５６】
図３は、本実施の形態に係る画像符号化方法の処理フローの概要である。まず、参照ピクチャリスト算出部１１５は、後述する方法で、符号化対象ピクチャまたはスライスの参照ピクチャリストを算出する（Ｓ１０１）。
【００５７】
可変長符号化部１０４は、参照ピクチャリスト情報を符号化して、符号化された参照ピクチャリスト情報をヘッダに付加する。すなわち、可変長符号化部１０４は、参照ピクチャリストの算出に用いられたパラメータを参照ピクチャリスト情報として、ＳＰＳ（Ｓｅｑｕｅｎｃｅ  Ｐａｒａｍｅｔｅｒ  Ｓｅｔ）、ＰＰＳ（Ｐｉｃｔｕｒｅ  Ｐａｒａｍｅｔｅｒ  Ｓｅｔ）、または、スライスヘッダ等に付加する（Ｓ１０２）。
【００５８】
インター予測制御部１１４は、動き検出を行い、符号化対象ブロックの予測方向、参照ピクチャインデックスおよび動きベクトルを決定する（Ｓ１０３）。インター予測制御部１１４は、動き検出において、例えば、符号化対象ピクチャ内の符号化対象ブロックと、参照ピクチャ内のブロックとの差分値を算出し、最も差分値の小さい参照ピクチャ内のブロックを参照ブロックとして決定する。そして、インター予測制御部１１４は、符号化対象ブロックの位置と、参照ブロックの位置から、動きベクトルを求める方法などを用いる。
【００５９】
また、インター予測制御部１１４は、第１予測方向の参照ピクチャ、および、第２予測方向の参照ピクチャに対し、それぞれ動き検出を行う。そして、インター予測制御部１１４は、例えば、Ｒ−Ｄ最適化モデルを示す式１等を用いて、第１予測方向、第２予測方向、または、双方向予測を選択する。
【００６０】
（式１）Ｃｏｓｔ＝Ｄ＋λ×Ｒ
【００６１】
式１において、Ｄは符号化歪を表す。例えば、ある動きベクトルで生成された予測画像を用いて符号化対象ブロックに対して符号化および復号を行うことで得られる画素値と、符号化対象ブロックの元の画素値との差分絶対値和などがＤに用いられる。また、Ｒは発生符号量を表す。例えば、予測画像生成に用いられた動きベクトルの符号化で発生する符号量などが用いられる。また、λはラグランジュの未定乗数である。
【００６２】
予測動きベクトル候補算出部１１６は、図４に示すような符号化対象ブロックの隣接ブロック、および、ｃｏ−ｌｏｃａｔｅｄブロックから、図５に示すような予測動きベクトル候補を生成する。そして、インター予測制御部１１４は、図６に示すようなフローにより、動きベクトルの符号化に用いられる予測動きベクトルのインデックスである予測動きベクトルインデックスを決定して、差分動きベクトルを算出する（Ｓ１０４）。ここで、差分動きベクトルとは、動きベクトルと予測動きベクトルとの差分である。
【００６３】
可変長符号化部１０４は、予測方向、参照ピクチャインデックス、予測動きベクトルインデックス、および、差分動きベクトルを可変長符号化する（Ｓ１０５）。
【００６４】
本実施の形態では、まず、画像符号化装置１００が、別のビューのピクチャを参照せずに符号化対象ピクチャを符号化する場合において、参照ピクチャリストを算出する方法を表す。この方法は、例えば、ベースビューのみを含むシーケンスを符号化する場合などに用いられる。
【００６５】
図７は、図３のＳ１０１の詳細な処理フローであり、別のビューのピクチャが参照されない場合の参照ピクチャリストの算出方法を表す。以下、図７について説明する。
【００６６】
参照ピクチャリスト算出部１１５は、符号化対象ピクチャよりも表示順（ＰＯＣ：Ｐｉｃｔｕｒｅ  Ｏｒｄｅｒ  Ｃｏｕｎｔ）が前で、かつ、インター予測において参照可能なショートタームピクチャ（Ｓｈｏｒｔ  Ｔｅｒｍ  Ｐｉｃｔｕｒｅ）の表示順、および、その枚数（ＮｕｍＰｏｃＳｔＣｕｒｒＢｅｆｏｒｅ）を算出する（Ｓ３０１）。
【００６７】
次に、参照ピクチャリスト算出部１１５は、符号化対象ピクチャよりも表示順が後で、かつ、インター予測において参照可能なショートタームピクチャの表示順、および、その枚数（ＮｕｍＰｏｃＳｔＣｕｒｒＡｆｔｅｒ）を算出する（Ｓ３０２）。
【００６８】
次に、参照ピクチャリスト算出部１１５は、インター予測において参照可能なロングタームピクチャ（Ｌｏｎｇ  Ｔｅｒｍ  Ｐｉｃｔｕｒｅ）の表示順、および、その枚数（ＮｕｍＰｏｃＬｔＣｕｒｒ）を算出する（Ｓ３０３）。
【００６９】
次に、参照ピクチャリスト算出部１１５は、ＮｕｍＰｏｃＳｔＣｕｒｒＢｅｆｏｒｅ、ＮｕｍＰｏｃＳｔＣｕｒｒＡｆｔｅｒ、および、ＮｕｍＰｏｃＬｔＣｕｒｒを加算することにより、インター予測において参照可能な参照ピクチャの合計枚数（ＮｕｍＰｏｃＴｏｔａｌＣｕｒｒ）を算出する（Ｓ３０４）。
【００７０】
次に、参照ピクチャリスト算出部１１５は、後述する方法で、第１予測方向の参照ピクチャリストＲｅｆＰｉｃＬｉｓｔ０を算出する（Ｓ３０５）。そして、参照ピクチャリスト算出部１１５は、第２予測方向の参照ピクチャリストＲｅｆＰｉｃＬｉｓｔ１を算出する（Ｓ３０６）。
【００７１】
図８は、図７のＳ３０５の詳細な処理フローであり、第１予測方向の参照ピクチャリストＲｅｆＰｉｃＬｉｓｔ０を算出する方法を表す。以下、図８について説明する。
【００７２】
まず、参照ピクチャリスト算出部１１５は、図７のＳ３０１で算出された表示順に該当する参照ピクチャを、算出されたＮｕｍＰｏｃＳｔＣｕｒｒＢｅｆｏｒｅ枚分、参照ピクチャリストＲｅｆＰｉｃＬｉｓｔＴｅｍｐ０に追加する（Ｓ４０１）。次に、参照ピクチャリスト算出部１１５は、図７のＳ３０２で算出された表示順に該当する参照ピクチャを、算出されたＮｕｍＰｏｃＳｔＣｕｒｒＡｆｔｅｒ枚分、参照ピクチャリストＲｅｆＰｉｃＬｉｓｔＴｅｍｐ０に追加する（Ｓ４０２）。
【００７３】
次に、参照ピクチャリスト算出部１１５は、図７のＳ３０３で算出された表示順に該当する参照ピクチャを、算出されたＮｕｍＰｏｃＬｔＣｕｒｒ枚分、参照ピクチャリストＲｅｆＰｉｃＬｉｓｔＴｅｍｐ０に追加する（Ｓ４０３）。
【００７４】
次に、参照ピクチャリスト算出部１１５は、Ｓ４０１からＳ４０３で得られた参照ピクチャリストＲｅｆＰｉｃＬｉｓｔＴｅｍｐ０を用いて、参照ピクチャリストＲｅｆＰｉｃＬｉｓｔ０を算出する。算出される参照ピクチャリストＲｅｆＰｉｃＬｉｓｔ０の参照ピクチャの枚数は、符号化対象ピクチャ（または、スライス）から第１予測方向において参照可能な参照ピクチャの枚数（ｎｕｍ＿ｒｅｆ＿ｌ０＿ａｃｔｉｖｅ＿ｍｉｎｕｓ１＋１）に等しい。
【００７５】
参照ピクチャリスト算出部１１５は、参照ピクチャリストＲｅｆＰｉｃＬｉｓｔ０をフラグの値に応じて算出する。具体的には、参照ピクチャリスト算出部１１５は、第１予測方向の参照ピクチャリストを修正するか否かを表すフラグｒｅｆ＿ｐｉｃ＿ｌｉｓｔ＿ｍｏｄｉｆｉｃａｔｉｏｎ＿ｆｌａｇ＿ｌ０が１であるか否かを判定する（Ｓ４０４）。
【００７６】
そして、真ならば（Ｓ４０４でＹｅｓ）、参照ピクチャリスト算出部１１５は、参照ピクチャリストＲｅｆＰｉｃＬｉｓｔＴｅｍｐ０と、ｌｉｓｔ＿ｅｎｔｒｙ＿ｌ０［ｃＩｄｘ］（ｃＩｄｘは０からｎｕｍ＿ｒｅｆ＿ｌ０＿ａｃｔｉｖｅ＿ｍｉｎｕｓ１）の値とに応じて、参照ピクチャリストＲｅｆＰｉｃＬｉｓｔ０を算出する（Ｓ４０５）。
【００７７】
具体的には、参照ピクチャリスト算出部１１５は、ＲｅｆＰｉｃＬｉｓｔ０［ｃＩｄｘ］にＲｅｆＰｉｃＬｉｓｔＴｅｍｐ０［ｌｉｓｔ＿ｅｎｔｒｙ＿ｌ０［ｃＩｄｘ］］を割り当てて、参照ピクチャリストＲｅｆＰｉｃＬｉｓｔ０を算出する。
【００７８】
ここで、ｌｉｓｔ＿ｅｎｔｒｙ＿ｌ０［ｃＩｄｘ］は、第１予測方向の参照ピクチャリストを修正するために用いられるパラメータ（修正リスト）である。このパラメータは、ｃＩｄｘ番目の参照ピクチャインデックスを、ｌｉｓｔ＿ｅｎｔｒｙ＿ｌ０［ｃＩｄｘ］番目の参照ピクチャインデックスに割り当てるために用いられ、スライスヘッダ等に付加される。
【００７９】
なお、ｌｉｓｔ＿ｅｎｔｒｙ＿ｌ０［ｃＩｄｘ］の値の範囲は、ＮｕｍＰｏｃＴｏｔａｌＣｕｒｒの値に基づいており、０以上、かつ、（ＮｕｍＰｏｃＴｏｔａｌＣｕｒｒ−１）以下に限定される。
【００８０】
偽の場合（Ｓ４０４でＮｏ）、参照ピクチャリスト算出部１１５は、参照ピクチャリストＲｅｆＰｉｃＬｉｓｔＴｅｍｐ０を用いて、参照ピクチャリストＲｅｆＰｉｃＬｉｓｔ０を算出する（Ｓ４０６）。具体的には、参照ピクチャリスト算出部１１５は、ＲｅｆＰｉｃＬｉｓｔ０［ｃＩｄｘ］にＲｅｆＰｉｃＬｉｓｔＴｅｍｐ０［ｃＩｄｘ］を割り当てて、参照ピクチャリストＲｅｆＰｉｃＬｉｓｔ０を算出する。
【００８１】
図９は、図７のＳ３０６の詳細な処理フローであり、第２予測方向の参照ピクチャリストＲｅｆＰｉｃＬｉｓｔ１を算出する方法を表す。以下、図９について説明する。
【００８２】
まず、参照ピクチャリスト算出部１１５は、図７のＳ３０２で算出された表示順に該当する参照ピクチャを、算出されたＮｕｍＰｏｃＳｔＣｕｒｒＡｆｔｅｒ枚分、参照ピクチャリストＲｅｆＰｉｃＬｉｓｔＴｅｍｐ１に追加する（Ｓ５０１）。次に、参照ピクチャリスト算出部１１５は、図７のＳ３０１で算出された表示順に該当する参照ピクチャを、算出されたＮｕｍＰｏｃＳｔＣｕｒｒＢｅｆｏｒｅ枚分、参照ピクチャリストＲｅｆＰｉｃＬｉｓｔＴｅｍｐ１に追加する（Ｓ５０２）。
【００８３】
次に、参照ピクチャリスト算出部１１５は、図７のＳ３０３で算出された表示順に該当する参照ピクチャを、算出されたＮｕｍＰｏｃＬｔＣｕｒｒ枚分、参照ピクチャリストＲｅｆＰｉｃＬｉｓｔＴｅｍｐ１に追加する（Ｓ５０３）。
【００８４】
次に、参照ピクチャリスト算出部１１５は、Ｓ５０１からＳ５０３で得られた参照ピクチャリストＲｅｆＰｉｃＬｉｓｔＴｅｍｐ１を用いて、参照ピクチャリストＲｅｆＰｉｃＬｉｓｔ１を算出する。算出される参照ピクチャリストＲｅｆＰｉｃＬｉｓｔ１の参照ピクチャの枚数は、符号化対象ピクチャ（または、スライス）から第２予測方向において参照可能な参照ピクチャの枚数（ｎｕｍ＿ｒｅｆ＿ｌ１＿ａｃｔｉｖｅ＿ｍｉｎｕｓ１＋１）に等しい。
【００８５】
参照ピクチャリスト算出部１１５は、参照ピクチャリストＲｅｆＰｉｃＬｉｓｔ１をフラグの値に応じて算出する。具体的には、参照ピクチャリスト算出部１１５は、第２予測方向の参照ピクチャリストを修正するか否かを表すフラグｒｅｆ＿ｐｉｃ＿ｌｉｓｔ＿ｍｏｄｉｆｉｃａｔｉｏｎ＿ｆｌａｇ＿ｌ１が１であるか否かを判定する（Ｓ５０４）。
【００８６】
そして、真ならば（Ｓ５０４でＹｅｓ）、参照ピクチャリスト算出部１１５は、参照ピクチャリストＲｅｆＰｉｃＬｉｓｔＴｅｍｐ１と、ｌｉｓｔ＿ｅｎｔｒｙ＿ｌ１［ｃＩｄｘ］（ｃＩｄｘは０からｎｕｍ＿ｒｅｆ＿ｌ１＿ａｃｔｉｖｅ＿ｍｉｎｕｓ１）の値とに応じて、参照ピクチャリストＲｅｆＰｉｃＬｉｓｔ１を算出する（Ｓ５０５）。
【００８７】
具体的には、参照ピクチャリスト算出部１１５は、ＲｅｆＰｉｃＬｉｓｔ１［ｃＩｄｘ］にＲｅｆＰｉｃＬｉｓｔＴｅｍｐ１［ｌｉｓｔ＿ｅｎｔｒｙ＿ｌ１［ｃＩｄｘ］］を割り当てて、参照ピクチャリストＲｅｆＰｉｃＬｉｓｔ１を算出する。
【００８８】
ここで、ｌｉｓｔ＿ｅｎｔｒｙ＿ｌ１［ｃＩｄｘ］は、第２予測方向の参照ピクチャリストを修正するために用いられるパラメータ（修正リスト）である。このパラメータは、ｃＩｄｘ番目の参照ピクチャインデックスを、ｌｉｓｔ＿ｅｎｔｒｙ＿ｌ１［ｃＩｄｘ］番目の参照ピクチャインデックスに割り当てるために用いられ、スライスヘッダ等に付加される。
【００８９】
なお、ｌｉｓｔ＿ｅｎｔｒｙ＿ｌ１［ｃＩｄｘ］の値の範囲は、ＮｕｍＰｏｃＴｏｔａｌＣｕｒｒの値に基づいており、０以上、かつ、（ＮｕｍＰｏｃＴｏｔａｌＣｕｒｒ−１）以下に限定される。
【００９０】
偽の場合（Ｓ５０４でＮｏ）、参照ピクチャリスト算出部１１５は、参照ピクチャリストＲｅｆＰｉｃＬｉｓｔＴｅｍｐ１を用いて、参照ピクチャリストＲｅｆＰｉｃＬｉｓｔ１を算出する（Ｓ５０６）。具体的には、参照ピクチャリスト算出部１１５は、ＲｅｆＰｉｃＬｉｓｔ１［ｃＩｄｘ］にＲｅｆＰｉｃＬｉｓｔＴｅｍｐ１［ｃＩｄｘ］を割り当てて、参照ピクチャリストＲｅｆＰｉｃＬｉｓｔ１を算出する。
【００９１】
図１０は、別のビューのピクチャが参照ピクチャとして用いられない場合の参照ピクチャの例を示す図である。
【００９２】
図１０の例では、符号化対象ピクチャよりも表示順が前で、かつ、インター予測で参照可能なショートタームピクチャは、ショートタームピクチャＳｔ１およびＳｔ２であり、その枚数ＮｕｍＰｏｃＳｔＣｕｒｒＢｅｆｏｒｅは２である。また、符号化対象ピクチャよりも表示順が後で、かつ、インター予測で参照可能なショートタームピクチャは、ショートタームピクチャＳｔ３およびＳｔ４であり、その枚数ＮｕｍＰｏｃＳｔＣｕｒｒＡｆｔｅｒは２である。
【００９３】
また、インター予測において参照可能なロングタームピクチャは、ロングタームピクチャＬｔであり、その枚数ＮｕｍＰｏｃＬｔＣｕｒｒは１である。この場合、符号化対象ピクチャがインター予測において参照可能な枚数ＮｕｍＰｏｃＴｏｔａｌＣｕｒｒは、５（＝２＋２＋１）である。
【００９４】
図１０のような場合に、例えば、（ｎｕｍ＿ｒｅｆ＿ｌ０＿ａｃｔｉｖｅ＿ｍｉｎｕｓ１＋１）が５であり、かつ、ｒｅｆ＿ｐｉｃ＿ｌｉｓｔ＿ｍｏｄｉｆｉｃａｔｉｏｎ＿ｆｌａｇ＿ｌ０が０である場合、第１予測方向の参照ピクチャリストＲｅｆＰｉｃＬｉｓｔ０には、Ｓｔ２、Ｓｔ１、Ｓｔ３、Ｓｔ４、Ｌｔの順で、参照ピクチャが割り当てられる。
【００９５】
また、例えば、（ｎｕｍ＿ｒｅｆ＿ｌ１＿ａｃｔｉｖｅ＿ｍｉｎｕｓ１＋１）が５であり、かつ、ｒｅｆ＿ｐｉｃ＿ｌｉｓｔ＿ｍｏｄｉｆｉｃａｔｉｏｎ＿ｆｌａｇ＿ｌ１が０である場合、第２予測方向の参照ピクチャリストＲｅｆＰｉｃＬｉｓｔ１には、Ｓｔ３、Ｓｔ４、Ｓｔ２、Ｓｔ１、Ｌｔの順で、参照ピクチャが割り当てられる。
【００９６】
また、例えば、（ｎｕｍ＿ｒｅｆ＿ｌ０＿ａｃｔｉｖｅ＿ｍｉｎｕｓ１＋１）が５であり、かつ、ｒｅｆ＿ｐｉｃ＿ｌｉｓｔ＿ｍｏｄｉｆｉｃａｔｉｏｎ＿ｆｌａｇ＿ｌ０が１であり、かつ、ｌｉｓｔ＿ｅｎｔｒｙ＿ｌ０の値が｛４、３、２、１、０｝である場合、第１予測方向の参照ピクチャリストＲｅｆＰｉｃＬｉｓｔ０には、Ｌｔ、Ｓｔ４、Ｓｔ３、Ｓｔ１、Ｓｔ２の順で、参照ピクチャが割り当てられる。
【００９７】
また、例えば、（ｎｕｍ＿ｒｅｆ＿ｌ１＿ａｃｔｉｖｅ＿ｍｉｎｕｓ１＋１）が５であり、かつ、ｒｅｆ＿ｐｉｃ＿ｌｉｓｔ＿ｍｏｄｉｆｉｃａｔｉｏｎ＿ｆｌａｇ＿ｌ１が１であり、ｌｉｓｔ＿ｅｎｔｒｙ＿ｌ１の値が｛１、０、４、２、３｝である場合、第２予測方向の参照ピクチャリストＲｅｆＰｉｃＬｉｓｔ１には、Ｓｔ４、Ｓｔ３、Ｌｔ、Ｓｔ２、Ｓｔ１の順で、参照ピクチャが割り当てられる。
【００９８】
図１１Ａから図１１Ｄは、参照ピクチャリスト算出に用いたパラメータを、参照ピクチャリスト情報として、ＳＰＳ、ＰＰＳ、または、スライスヘッダ等に付加する場合のシンタックスの例を示す。
【００９９】
図１１Ａにおいて、ｌｉｓｔｓ＿ｍｏｄｉｆｉｃａｔｉｏｎ＿ｐｒｅｓｅｎｔ＿ｆｌａｇは、参照ピクチャリストを修正するか否かを表すフラグが存在するか否かを表すフラグである。ｓｈｏｒｔ＿ｔｅｒｍ＿ｒｅｆ＿ｐｉｃ＿ｓｅｔ（ｉ）は、ショートタームピクチャを指定するためのシンタックスである。ｌｏｎｇ＿ｔｅｒｍ＿ｒｅｆ＿ｐｉｃｓ＿ｐｒｅｓｅｎｔ＿ｆｌａｇは、ロングタームピクチャが存在するか否かを表すフラグである。
【０１００】
図１１Ｂにおいて、ｓｈｏｒｔ＿ｔｅｒｍ＿ｒｅｆ＿ｐｉｃ＿ｓｅｔ（ｎｕｍ＿ｓｈｏｒｔ＿ｔｅｒｍ＿ｒｅｆ＿ｐｉｃ＿ｓｅｔｓ）は、ショートタームピクチャを指定するためのシンタックスである。ｎｕｍ＿ｌｏｎｇ＿ｔｅｒｍ＿ｐｉｃｓは、ロングタームピクチャの枚数である。ｎｕｍ＿ｒｅｆ＿ｉｄｘ＿ｌ０＿ａｃｔｉｖｅ＿ｍｉｎｕｓ１は、第１予測方向で参照可能な参照ピクチャの枚数である。ｎｕｍ＿ｒｅｆ＿ｉｄｘ＿ｌ１＿ａｃｔｉｖｅ＿ｍｉｎｕｓ１は、第２予測方向で参照可能な参照ピクチャの枚数である。
【０１０１】
図１１Ｃにおいて、各要素は、ショートタームピクチャを指定するためのパラメータである。
【０１０２】
図１１Ｄにおいて、ｒｅｆ＿ｐｉｃ＿ｌｉｓｔ＿ｍｏｄｉｆｉｃａｔｉｏｎ＿ｆｌａｇ＿ｌ０は、第１予測方向の参照ピクチャリストを修正するか否かを示すフラグである。ｒｅｆ＿ｐｉｃ＿ｌｉｓｔ＿ｍｏｄｉｆｉｃａｔｉｏｎ＿ｆｌａｇ＿ｌ１は、第２予測方向の参照ピクチャリストを修正するか否かを示すフラグである。
【０１０３】
また、ｌｉｓｔ＿ｅｎｔｒｙ＿ｌ０［ｉ］は、第１予測方向の参照ピクチャリストに割り当てる参照ピクチャを変更するためのパラメータである。ｌｉｓｔ＿ｅｎｔｒｙ＿ｌ１［ｉ］は、第２予測方向の参照ピクチャリストに割り当てる参照ピクチャを変更するためのパラメータである。ｌｉｓｔ＿ｅｎｔｒｙ＿ｌ０［ｉ］およびｌｉｓｔ＿ｅｎｔｒｙ＿ｌ１［ｉ］は、０以上ＮｕｍＰｏｃＴｏｔａｌＣｕｒｒ−１に限定される。
【０１０４】
０または１がＸで表される場合、ｌｉｓｔ＿ｅｎｔｒｙ＿ｌＸ［ｉ］によって、参照ピクチャリストＬＸにおける参照ピクチャのインデックスが特定される。ｌｉｓｔ＿ｅｎｔｒｙ＿ｌＸ［ｉ］の長さは、Ｃｅｉｌ（Ｌｏｇ２（ＮｕｍＰｏｃＴｏｔａｌＣｕｒｒ））ビットである。ｌｉｓｔ＿ｅｎｔｒｙ＿ｌＸ［ｉ］は、０以上ＮｕｍＰｏｃＴｏｔａｌＣｕｒｒ−１に限定される。ｌｉｓｔ＿ｅｎｔｒｙ＿ｌＸ［ｉ］が存在しない場合、ｌｉｓｔ＿ｅｎｔｒｙ＿ｌＸ［ｉ］は０として扱われる。
【０１０５】
また、参照ピクチャリストとして、ＲｅｆＰｉｃＳｅｔＳｔＣｕｒｒＢｅｆｏｒｅ、ＲｅｆＰｉｃＳｅｔＳｔＣｕｒｒＡｆｔｅｒ、ＲｅｆＰｉｃＳｅｔＳｔＦｏｌｌ、ＲｅｆＰｉｃＳｅｔＬｔＣｕｒｒ、および、ＲｅｆＰｉｃＳｅｔＬｔＦｏｌｌがある。ＮｕｍＰｏｃＴｏｔａｌＣｕｒｒは、ＮｕｍＰｏｃＳｔＣｕｒｒＢｅｆｏｒｅ＋ＮｕｍＰｏｃＳｔＣｕｒｒＡｆｔｅｒ＋ＮｕｍＰｏｃＬｔＣｕｒｒに等しい。ＰスライスまたはＢスライスの符号化および復号において、ＮｕｍＰｏｃＴｏｔａｌＣｕｒｒは、０ではない。
【０１０６】
図１２Ａおよび図１２Ｂは、参照ピクチャリストＲｅｆＰｉｃＬｉｓｔ０の算出例を示す。参照ピクチャリストＲｅｆＰｉｃＬｉｓｔ０の算出は、ＰスライスまたはＢスライスのヘッダの符号化および復号において行われる。ＮｕｍＲｐｓＣｕｒｒＴｅｍｐＬｉｓｔ０は、ｎｕｍ＿ｒｅｆ＿ｉｄｘ＿ｌ０＿ａｃｔｉｖｅ＿ｍｉｎｕｓ１＋１およびＮｕｍＰｏｃＴｏｔａｌＣｕｒｒの大きい方である。より具体的には、図１２ＡがＲｅｆＰｉｃＬｉｓｔＴｅｍｐ０の算出例を示し、図１２ＢがＲｅｆＰｉｃＬｉｓｔ０の算出例を示す。
【０１０７】
図１２Ｃおよび図１２Ｄは、参照ピクチャリストＲｅｆＰｉｃＬｉｓｔ１の算出例を示す。参照ピクチャリストＲｅｆＰｉｃＬｉｓｔ１の算出は、Ｂスライスのヘッダの符号化および復号において行われる。ＮｕｍＲｐｓＣｕｒｒＴｅｍｐＬｉｓｔ１は、ｎｕｍ＿ｒｅｆ＿ｉｄｘ＿ｌ１＿ａｃｔｉｖｅ＿ｍｉｎｕｓ１＋１およびＮｕｍＰｏｃＴｏｔａｌＣｕｒｒの大きい方である。より具体的には、図１２ＣがＲｅｆＰｉｃＬｉｓｔＴｅｍｐ１の算出例を示し、図１２ＤがＲｅｆＰｉｃＬｉｓｔ１の算出例を示す。
【０１０８】
本実施の形態では、別のビューが参照されない場合、例えば、ベースビューが符号化される場合、インター予測で参照可能な参照ピクチャの枚数ＮｕｍＰｏｃＴｏｔａｌＣｕｒｒに、ＮｕｍＰｏｃＳｔＣｕｒｒＢｅｆｏｒｅ、ＮｕｍＰｏｃＳｔＣｕｒｒＡｆｔｅｒおよびＮｕｍＰｏｃＬｔＣｕｒｒの総和が設定される。そして、ＮｕｍＰｏｃＴｏｔａｌＣｕｒｒの値に基づいて設定可能な値が変動するｌｉｓｔ＿ｅｎｔｒｙ＿ｌ０およびｌｉｓｔ＿ｅｎｔｒｙ＿ｌ１等のパラメータが用いられる。
【０１０９】
これにより、参照ピクチャリストに割り当てられる参照ピクチャを柔軟に変更することが可能であり、符号化効率が向上する。
【０１１０】
次に、別のビューが参照される場合の参照ピクチャリストの算出方法を示す。例えば、画像符号化装置１００がベースビューおよびノンベースビューを含む多視点映像を符号化する場合などに以下の算出方法が用いられる。
【０１１１】
図１３は、図３のＳ１０１の詳細な処理フローであり、符号化対象ピクチャから別のビューのピクチャが参照される可能性がある場合の参照ピクチャリストの算出方法を表す。以下、図１３について説明する。
【０１１２】
参照ピクチャリスト算出部１１５は、符号化対象ピクチャよりも表示順（ＰＯＣ：Ｐｉｃｔｕｒｅ  Ｏｒｄｅｒ  Ｃｏｕｎｔ）が前で、かつ、インター予測において参照可能なショートタームピクチャ（Ｓｈｏｒｔ  Ｔｅｒｍ  Ｐｉｃｔｕｒｅ）の表示順、および、その枚数（ＮｕｍＰｏｃＳｔＣｕｒｒＢｅｆｏｒｅ）を算出する（Ｓ６０１）。
【０１１３】
次に、参照ピクチャリスト算出部１１５は、符号化対象ピクチャよりも表示順が後で、かつ、インター予測において参照可能なショートタームピクチャの表示順、および、その枚数（ＮｕｍＰｏｃＳｔＣｕｒｒＡｆｔｅｒ）を算出する（Ｓ６０２）。
【０１１４】
次に、参照ピクチャリスト算出部１１５は、インター予測において参照可能なロングタームピクチャ（Ｌｏｎｇ  Ｔｅｒｍ  Ｐｉｃｔｕｒｅ）の表示順、および、その枚数（ＮｕｍＰｏｃＬｔＣｕｒｒ）を算出する（Ｓ６０３）。
【０１１５】
次に、参照ピクチャリスト算出部１１５は、ＮｕｍＰｏｃＳｔＣｕｒｒＢｅｆｏｒｅ、ＮｕｍＰｏｃＳｔＣｕｒｒＡｆｔｅｒ、および、ＮｕｍＰｏｃＬｔＣｕｒｒを加算することにより、インター予測において参照可能な参照ピクチャの合計枚数（ＮｕｍＰｏｃＴｏｔａｌＣｕｒｒ）を算出する（Ｓ６０４）。
【０１１６】
次に、参照ピクチャリスト算出部１１５は、符号化対象ピクチャがノンベースビューに含まれるか否かを判定する（Ｓ６０５）。なお、この判定は、例えば、各ビューの符号化（復号）順に割り当てられたＶＯＩｄｘ（Ｖｉｅｗ  Ｏｒｄｅｒ  Ｉｎｄｅｘ）、特定のｎａｌ＿ｔｙｐｅ、または、各ビューに割り振られたｖｉｅｗ＿ｉｄ等に基づいて行われてもよい。判定の方法は、どのような方法でも構わない。
【０１１７】
本実施の形態の例では、ＶＯＩｄｘが用いられる。ＶＯＩｄｘが０である場合、参照ピクチャリスト算出部１１５は、符号化対象ピクチャがベースビューに含まれると判定する。一方、ＶＯＩｄｘが０でない場合、参照ピクチャリスト算出部１１５は、符号化対象ピクチャがノンベースビューに含まれると判定する。
【０１１８】
判定結果が真である場合（Ｓ６０５でＹｅｓ）、つまり、符号化対象ピクチャがノンベースビューに含まれる場合、参照ピクチャリスト算出部１１５は、ｎｕｍ＿ｉｎｔｅｒ−ｖｉｅｗ＿ｒｅｆｅｒｅｎｃｅ［ＶＯＩｄｘ］を、ＮｕｍＰｏｃＴｏｔａｌＣｕｒｒに加算する（Ｓ６０６）。
【０１１９】
ここで、ｎｕｍ＿ｉｎｔｅｒ−ｖｉｅｗ＿ｒｅｆｅｒｅｎｃｅ［ＶＯＩｄｘ］は、符号化対象ピクチャからビュー間予測で参照可能な参照ピクチャの枚数である。また、ビュー間予測とは、符号化対象ピクチャの属するビューとは異なるビューのピクチャを参照して予測画像が生成されることを表す。
【０１２０】
次に、参照ピクチャリスト算出部１１５は、後述する方法で、第１予測方向の参照ピクチャリストＲｅｆＰｉｃＬｉｓｔ０、および、第２予測方向の参照ピクチャリストＲｅｆＰｉｃＬｉｓｔ１を算出する（Ｓ６０７、Ｓ６０８）。
【０１２１】
図１４は、図１３のＳ６０７の詳細な処理フローであり、第１予測方向の参照ピクチャリストＲｅｆＰｉｃＬｉｓｔ０を算出する方法を表す。以下、図１４について説明する。
【０１２２】
まず、参照ピクチャリスト算出部１１５は、図１３のＳ６０１で算出された表示順に該当する参照ピクチャを、算出されたＮｕｍＰｏｃＳｔＣｕｒｒＢｅｆｏｒｅ枚分、参照ピクチャリストＲｅｆＰｉｃＬｉｓｔＴｅｍｐ０に追加する（Ｓ７０１）。次に、参照ピクチャリスト算出部１１５は、図１３のＳ６０２で算出された表示順に該当する参照ピクチャを、算出されたＮｕｍＰｏｃＳｔＣｕｒｒＡｆｔｅｒ枚分、参照ピクチャリストＲｅｆＰｉｃＬｉｓｔＴｅｍｐ０に追加する（Ｓ７０２）。
【０１２３】
次に、参照ピクチャリスト算出部１１５は、図１３のＳ６０３で算出された表示順に該当する参照ピクチャを、算出されたＮｕｍＰｏｃＬｔＣｕｒｒ枚分、参照ピクチャリストＲｅｆＰｉｃＬｉｓｔＴｅｍｐ０に追加する（Ｓ７０３）。
【０１２４】
次に、参照ピクチャリスト算出部１１５は、符号化対象ピクチャがノンベースビューに含まれるか否かを判定する（Ｓ７０４）。なお、この判定は、例えば、各ビューの符号化（復号）順に割り当てられたＶＯＩｄｘ（Ｖｉｅｗ  Ｏｒｄｅｒ  Ｉｎｄｅｘ）、特定のｎａｌ＿ｔｙｐｅ、または、各ビューに割り振られたｖｉｅｗ＿ｉｄ等に基づいて行われてもよい。判定の方法は、どのような方法でも構わない。
【０１２５】
本実施の形態の例では、ＶＯＩｄｘが用いられる。ＶＯＩｄｘが０である場合、参照ピクチャリスト算出部１１５は、符号化対象ピクチャがベースビューに含まれると判定する。一方、ＶＯＩｄｘが０でない場合、参照ピクチャリスト算出部１１５は、符号化対象ピクチャがノンベースビューに含まれると判定する。
【０１２６】
判定結果が真である場合（Ｓ７０４でＹｅｓ）、つまり、符号化対象ピクチャがノンベースビューに含まれる場合、参照ピクチャリスト算出部１１５は、参照ピクチャを参照ピクチャリストＲｅｆＰｉｃＬｉｓｔＴｅｍｐ０に追加する（Ｓ７０５）。具体的には、この場合、参照ピクチャリスト算出部１１５は、符号化対象ピクチャからビュー間予測を用いて参照可能な参照ピクチャを、ｎｕｍ＿ｉｎｔｅｒ−ｖｉｅｗ＿ｒｅｆｅｒｅｎｃｅ［ＶＯＩｄｘ］枚分、参照ピクチャリストＲｅｆＰｉｃＬｉｓｔＴｅｍｐ０に追加する。
【０１２７】
次に、参照ピクチャリスト算出部１１５は、Ｓ７０１からＳ７０５で得られた参照ピクチャリストＲｅｆＰｉｃＬｉｓｔＴｅｍｐ０を用いて、参照ピクチャリストＲｅｆＰｉｃＬｉｓｔ０を算出する。算出される参照ピクチャリストＲｅｆＰｉｃＬｉｓｔ０の参照ピクチャの枚数は、符号化対象ピクチャ（または、スライス）から第１予測方向において参照可能な参照ピクチャの枚数（ｎｕｍ＿ｒｅｆ＿ｌ０＿ａｃｔｉｖｅ＿ｍｉｎｕｓ１＋１）に等しい。
【０１２８】
参照ピクチャリスト算出部１１５は、参照ピクチャリストＲｅｆＰｉｃＬｉｓｔ０をフラグの値に応じて算出する。具体的には、参照ピクチャリスト算出部１１５は、第１予測方向の参照ピクチャリストを修正するか否かを表すフラグｒｅｆ＿ｐｉｃ＿ｌｉｓｔ＿ｍｏｄｉｆｉｃａｔｉｏｎ＿ｆｌａｇ＿ｌ０が１であるか否かを判定する（Ｓ７０６）。
【０１２９】
そして、真ならば（Ｓ７０６でＹｅｓ）、参照ピクチャリスト算出部１１５は、参照ピクチャリストＲｅｆＰｉｃＬｉｓｔＴｅｍｐ０と、ｌｉｓｔ＿ｅｎｔｒｙ＿ｌ０［ｃＩｄｘ］（ｃＩｄｘは０からｎｕｍ＿ｒｅｆ＿ｌ０＿ａｃｔｉｖｅ＿ｍｉｎｕｓ１）の値とに応じて、参照ピクチャリストＲｅｆＰｉｃＬｉｓｔ０を算出する（Ｓ７０７）。
【０１３０】
具体的には、参照ピクチャリスト算出部１１５は、ＲｅｆＰｉｃＬｉｓｔ０［ｃＩｄｘ］にＲｅｆＰｉｃＬｉｓｔＴｅｍｐ０［ｌｉｓｔ＿ｅｎｔｒｙ＿ｌ０［ｃＩｄｘ］］を割り当てて、参照ピクチャリストＲｅｆＰｉｃＬｉｓｔ０を算出する。
【０１３１】
ここで、ｌｉｓｔ＿ｅｎｔｒｙ＿ｌ０［ｃＩｄｘ］は、第１予測方向の参照ピクチャリストを修正するために用いられるパラメータ（修正リスト）である。このパラメータは、ｃＩｄｘ番目の参照ピクチャインデックスを、ｌｉｓｔ＿ｅｎｔｒｙ＿ｌ０［ｃＩｄｘ］番目の参照ピクチャインデックスに割り当てるために用いられ、スライスヘッダ等に付加される。
【０１３２】
なお、ｌｉｓｔ＿ｅｎｔｒｙ＿ｌ０［ｃＩｄｘ］の値の範囲は、ＮｕｍＰｏｃＴｏｔａｌＣｕｒｒの値に基づいており、０以上、かつ、（ＮｕｍＰｏｃＴｏｔａｌＣｕｒｒ−１）以下に限定される。
【０１３３】
偽の場合（Ｓ７０６でＮｏ）、参照ピクチャリスト算出部１１５は、参照ピクチャリストＲｅｆＰｉｃＬｉｓｔＴｅｍｐ０を用いて、参照ピクチャリストＲｅｆＰｉｃＬｉｓｔ０を算出する（Ｓ７０８）。具体的には、参照ピクチャリスト算出部１１５は、ＲｅｆＰｉｃＬｉｓｔ０［ｃＩｄｘ］にＲｅｆＰｉｃＬｉｓｔＴｅｍｐ０［ｃＩｄｘ］を割り当てて、参照ピクチャリストＲｅｆＰｉｃＬｉｓｔ０を算出する。
【０１３４】
図１５は、図１３のＳ６０８の詳細な処理フローであり、第２予測方向の参照ピクチャリストＲｅｆＰｉｃＬｉｓｔ１を算出する方法を表す。以下、図１５について説明する。
【０１３５】
まず、参照ピクチャリスト算出部１１５は、図１３のＳ６０２で算出された表示順に該当する参照ピクチャを、算出されたＮｕｍＰｏｃＳｔＣｕｒｒＡｆｔｅｒ枚分、参照ピクチャリストＲｅｆＰｉｃＬｉｓｔＴｅｍｐ１に追加する（Ｓ８０１）。次に、参照ピクチャリスト算出部１１５は、図１３のＳ６０１で算出された表示順に該当する参照ピクチャを、算出されたＮｕｍＰｏｃＳｔＣｕｒｒＢｅｆｏｒｅ枚分、参照ピクチャリストＲｅｆＰｉｃＬｉｓｔＴｅｍｐ１に追加する（Ｓ８０２）。
【０１３６】
次に、参照ピクチャリスト算出部１１５は、図１３のＳ６０３で算出された表示順に該当する参照ピクチャを、算出されたＮｕｍＰｏｃＬｔＣｕｒｒ枚分、参照ピクチャリストＲｅｆＰｉｃＬｉｓｔＴｅｍｐ１に追加する（Ｓ８０３）。
【０１３７】
次に、参照ピクチャリスト算出部１１５は、符号化対象ピクチャがノンベースビューに含まれるか否かを判定する（Ｓ８０４）。なお、この判定は、例えば、各ビューの符号化（復号）順に割り当てられたＶＯＩｄｘ（Ｖｉｅｗ  Ｏｒｄｅｒ  Ｉｎｄｅｘ）、特定のｎａｌ＿ｔｙｐｅ、または、各ビューに割り当られたｖｉｅｗ＿ｉｄ等に基づいて行われてもよい。判定の方法は、どのような方法でも構わない。
【０１３８】
本実施の形態の例では、ＶＯＩｄｘが用いられる。ＶＯＩｄｘが０である場合、参照ピクチャリスト算出部１１５は、符号化対象ピクチャがベースビューに含まれると判定する。一方、ＶＯＩｄｘが０でない場合、参照ピクチャリスト算出部１１５は、符号化対象ピクチャがノンベースビューに含まれると判定する。
【０１３９】
判定結果が真である場合（Ｓ８０４でＹｅｓ）、つまり、符号化対象ピクチャがノンベースビューに含まれる場合、参照ピクチャリスト算出部１１５は、参照ピクチャを参照ピクチャリストＲｅｆＰｉｃＬｉｓｔＴｅｍｐ１に追加する（Ｓ８０５）。具体的には、この場合、参照ピクチャリスト算出部１１５は、符号化対象ピクチャからビュー間予測を用いて参照可能な参照ピクチャを、ｎｕｍ＿ｉｎｔｅｒ−ｖｉｅｗ＿ｒｅｆｅｒｅｎｃｅ［ＶＯＩｄｘ］枚分、参照ピクチャリストＲｅｆＰｉｃＬｉｓｔＴｅｍｐ１に追加する。
【０１４０】
次に、参照ピクチャリスト算出部１１５は、Ｓ８０１からＳ８０５で得られた参照ピクチャリストＲｅｆＰｉｃＬｉｓｔＴｅｍｐ１を用いて、参照ピクチャリストＲｅｆＰｉｃＬｉｓｔ１を算出する。算出される参照ピクチャリストＲｅｆＰｉｃＬｉｓｔ１の参照ピクチャの枚数は、符号化対象ピクチャ（または、スライス）から第２予測方向において参照可能な参照ピクチャの枚数（ｎｕｍ＿ｒｅｆ＿ｌ１＿ａｃｔｉｖｅ＿ｍｉｎｕｓ１＋１）に等しい。
【０１４１】
参照ピクチャリスト算出部１１５は、参照ピクチャリストＲｅｆＰｉｃＬｉｓｔ１をフラグの値に応じて算出する。具体的には、参照ピクチャリスト算出部１１５は、第２予測方向の参照ピクチャリストを修正するか否かを表すフラグｒｅｆ＿ｐｉｃ＿ｌｉｓｔ＿ｍｏｄｉｆｉｃａｔｉｏｎ＿ｆｌａｇ＿ｌ１が１であるか否かを判定する（Ｓ８０６）。
【０１４２】
そして、真ならば（Ｓ８０６でＹｅｓ）、参照ピクチャリスト算出部１１５は、参照ピクチャリストＲｅｆＰｉｃＬｉｓｔＴｅｍｐ１と、ｌｉｓｔ＿ｅｎｔｒｙ＿ｌ１［ｃＩｄｘ］（ｃＩｄｘは０からｎｕｍ＿ｒｅｆ＿ｌ１＿ａｃｔｉｖｅ＿ｍｉｎｕｓ１）の値とに応じて、参照ピクチャリストＲｅｆＰｉｃＬｉｓｔ１を算出する（Ｓ８０７）。
【０１４３】
具体的には、参照ピクチャリスト算出部１１５は、ＲｅｆＰｉｃＬｉｓｔ１［ｃＩｄｘ］にＲｅｆＰｉｃＬｉｓｔＴｅｍｐ１［ｌｉｓｔ＿ｅｎｔｒｙ＿ｌ１［ｃＩｄｘ］］を割り当てて、参照ピクチャリストＲｅｆＰｉｃＬｉｓｔ１を算出する。
【０１４４】
ここで、ｌｉｓｔ＿ｅｎｔｒｙ＿ｌ１［ｃＩｄｘ］は、第２予測方向の参照ピクチャリストを修正するために用いられるパラメータ（修正リスト）である。このパラメータは、ｃＩｄｘ番目の参照ピクチャインデックスを、ｌｉｓｔ＿ｅｎｔｒｙ＿ｌ１［ｃＩｄｘ］番目の参照ピクチャインデックスに割り当てるために用いられ、スライスヘッダ等に付加される。
【０１４５】
なお、ｌｉｓｔ＿ｅｎｔｒｙ＿ｌ１［ｃＩｄｘ］の値の範囲は、ＮｕｍＰｏｃＴｏｔａｌＣｕｒｒの値に基づいており、０以上、かつ、（ＮｕｍＰｏｃＴｏｔａｌＣｕｒｒ−１）以下に限定される。
【０１４６】
偽の場合（Ｓ８０６でＮｏ）、参照ピクチャリスト算出部１１５は、参照ピクチャリストＲｅｆＰｉｃＬｉｓｔＴｅｍｐ１を用いて、参照ピクチャリストＲｅｆＰｉｃＬｉｓｔ１を算出する（Ｓ８０８）。具体的には、参照ピクチャリスト算出部１１５は、ＲｅｆＰｉｃＬｉｓｔ１［ｃＩｄｘ］にＲｅｆＰｉｃＬｉｓｔＴｅｍｐ１［ｃＩｄｘ］を割り当てて、参照ピクチャリストＲｅｆＰｉｃＬｉｓｔ１を算出する。
【０１４７】
図１６は、別のビューのピクチャが参照ピクチャとして用いられる場合の参照ピクチャの例を示す図である。図１６の例では、符号化対象ピクチャはノンベースビューに属しており、ＶＯＩｄｘは２である。
【０１４８】
また、符号化対象ピクチャよりも表示順が前で、かつ、インター予測で参照可能なショートタームピクチャは、ショートタームピクチャＳｔ１およびＳｔ２であり、その枚数ＮｕｍＰｏｃＳｔＣｕｒｒＢｅｆｏｒｅは２である。また、符号化対象ピクチャよりも表示順が後で、かつ、インター予測で参照可能なショートタームピクチャは、ショートタームピクチャＳｔ３およびＳｔ４であり、その枚数ＮｕｍＰｏｃＳｔＣｕｒｒＡｆｔｅｒは２である。
【０１４９】
また、インター予測において参照可能なロングタームピクチャは、ロングタームピクチャＬｔであり、その枚数ＮｕｍＰｏｃＬｔＣｕｒｒは１である。また、ビュー間予測において参照可能な参照ピクチャ（ｉｎｔｅｒ−ｖｉｅｗ参照ピクチャ）は、ｉｎｔｅｒ−ｖｉｅｗ参照ピクチャＩｖ１およびＩｖ２であり、その枚数ｎｕｍ＿ｉｎｔｅｒ−ｖｉｅｗ＿ｒｅｆｅｒｅｎｃｅ［ＶＯＩｄｘ］は２である。
【０１５０】
この場合、符号化対象ピクチャがインター予測において参照可能な枚数ＮｕｍＰｏｃＴｏｔａｌＣｕｒｒは、５（＝２＋２＋１）である。その値にビュー間予測で参照可能な枚数ｎｕｍ＿ｉｎｔｅｒ−ｖｉｅｗ＿ｒｅｆｅｒｅｎｃｅ［ＶＯＩｄｘ］が加算される。これにより、ＮｕｍＰｏｃＴｏｔａｌＣｕｒｒは７に設定される。
【０１５１】
図１６のような場合に、例えば、（ｎｕｍ＿ｒｅｆ＿ｌ０＿ａｃｔｉｖｅ＿ｍｉｎｕｓ１＋１）が５であり、かつ、ｒｅｆ＿ｐｉｃ＿ｌｉｓｔ＿ｍｏｄｉｆｉｃａｔｉｏｎ＿ｆｌａｇ＿ｌ０が０である場合、第１予測方向の参照ピクチャリストＲｅｆＰｉｃＬｉｓｔ０には、Ｓｔ２、Ｓｔ１、Ｓｔ３、Ｓｔ４、Ｌｔ、Ｉｖ１、Ｉｖ２の順で、参照ピクチャが割り当てられる。
【０１５２】
また、例えば、（ｎｕｍ＿ｒｅｆ＿ｌ１＿ａｃｔｉｖｅ＿ｍｉｎｕｓ１＋１）が５であり、かつ、ｒｅｆ＿ｐｉｃ＿ｌｉｓｔ＿ｍｏｄｉｆｉｃａｔｉｏｎ＿ｆｌａｇ＿ｌ１が０である場合、第２予測方向の参照ピクチャリストＲｅｆＰｉｃＬｉｓｔ１には、Ｓｔ３、Ｓｔ４、Ｓｔ２、Ｓｔ１、Ｌｔ、Ｉｖ１、Ｉｖ２の順で、参照ピクチャが割り当てられる。
【０１５３】
また、例えば、（ｎｕｍ＿ｒｅｆ＿ｌ０＿ａｃｔｉｖｅ＿ｍｉｎｕｓ１＋１）が５であり、かつ、ｒｅｆ＿ｐｉｃ＿ｌｉｓｔ＿ｍｏｄｉｆｉｃａｔｉｏｎ＿ｆｌａｇ＿ｌ０が１であり、かつ、ｌｉｓｔ＿ｅｎｔｒｙ＿ｌ０の値が｛６、５、４、３、２、１、０｝である場合、第１予測方向の参照ピクチャリストＲｅｆＰｉｃＬｉｓｔ０には、Ｉｖ２、Ｉｖ１、Ｌｔ、Ｓｔ４、Ｓｔ３、Ｓｔ１、Ｓｔ２の順で、参照ピクチャが割り当てられる。
【０１５４】
また、例えば、（ｎｕｍ＿ｒｅｆ＿ｌ１＿ａｃｔｉｖｅ＿ｍｉｎｕｓ１＋１）が５であり、かつ、ｒｅｆ＿ｐｉｃ＿ｌｉｓｔ＿ｍｏｄｉｆｉｃａｔｉｏｎ＿ｆｌａｇ＿ｌ１が１であり、かつ、ｌｉｓｔ＿ｅｎｔｒｙ＿ｌ１の値が｛１、０、４、２、３、６、５｝である場合、第２予測方向の参照ピクチャリストＲｅｆＰｉｃＬｉｓｔ１には、Ｓｔ４、Ｓｔ３、Ｌｔ、Ｓｔ２、Ｓｔ１、Ｉｖ２、Ｉｖ１の順で、参照ピクチャが割り当てられる。
【０１５５】
別のビューが参照される場合でも、図１１Ａから図１１Ｄに示されたシンタックスが用いられてもよい。
【０１５６】
また、上述の通り、参照ピクチャリストとして、ＲｅｆＰｉｃＳｅｔＳｔＣｕｒｒＢｅｆｏｒｅ、ＲｅｆＰｉｃＳｅｔＳｔＣｕｒｒＡｆｔｅｒ、ＲｅｆＰｉｃＳｅｔＳｔＦｏｌｌ、ＲｅｆＰｉｃＳｅｔＬｔＣｕｒｒ、および、ＲｅｆＰｉｃＳｅｔＬｔＦｏｌｌがある。ＮｕｍＰｏｃＴｏｔａｌＣｕｒｒは、ＮｕｍＰｏｃＳｔＣｕｒｒＢｅｆｏｒｅ＋ＮｕｍＰｏｃＳｔＣｕｒｒＡｆｔｅｒ＋ＮｕｍＰｏｃＬｔＣｕｒｒに等しい。ＰスライスまたはＢスライスの符号化および復号において、ＮｕｍＰｏｃＴｏｔａｌＣｕｒｒは、０ではない。
【０１５７】
加えて、符号化対象ピクチャがノンベースビューに含まれるならば（ＶＯＩｄｘ！＝０）、ビュー間予測において参照可能な参照ピクチャの枚数ｎｕｍ＿ｉｎｔｅｒ−ｖｉｅｗ＿ｒｅｆｅｒｅｎｃｅ［ＶＯＩｄｘ］がＮｕｍＰｏｃＴｏｔａｌＣｕｒｒに加算される。なお、ＭＶＣ（多視点映像符号化）において、ｎｕｍ＿ｉｎｔｅｒ−ｖｉｅｗ＿ｒｅｆｅｒｅｎｃｅは、ｎｕｍ＿ａｎｃｈｏｒ＿ｒｅｆｓ＿ｌＸ［ｉ］またはｎｕｍ＿ａｎｃｈｏｒ＿ｒｅｆｓ＿ｌＸ［ｉ］に等しい。
【０１５８】
また、別のビューが参照される場合でも、第１予測方向の参照ピクチャリストＲｅｆＰｉｃＬｉｓｔ０の算出に、図１２Ａおよび図１２Ｂに示された算出例が用いられてもよい。それに加えて、符号化対象ピクチャがノンベースビューに含まれるならば（ＶＯＩｄｘ！＝０）、ビュー間予測において参照可能な参照ピクチャが参照ピクチャリストＲｅｆＰｉｃＬｉｓｔＴｅｍｐ０に追加される。追加される参照ピクチャの数は、ｎｕｍ＿ｉｎｔｅｒ−ｖｉｅｗ＿ｒｅｆｅｒｅｎｃｅに等しい。
【０１５９】
具体的には、０からｎｕｍ＿ｉｎｔｅｒ−ｖｉｅｗ＿ｒｅｆｅｒｅｎｃｅ［ＶＯＩｄｘ］−１までの参照ビューインデックスｊについて、ｉｎｔｅｒ−ｖｉｅｗ＿ｒｅｆｅｒｅｎｃｅ［ＶＯＩｄｘ］［ｊ］に対応する参照ピクチャがＲｅｆＰｉｃＬｉｓｔＴｅｍｐ０およびＲｅｆＰｉｃＬｉｓｔ０に追加される。
【０１６０】
同様に、別のビューが参照される場合でも、第２予測方向の参照ピクチャリストＲｅｆＰｉｃＬｉｓｔ１の算出に、図１２Ｃおよび図１２Ｄに示された算出例が用いられてもよい。それに加えて、符号化対象ピクチャがノンベースビューに含まれるならば（ＶＯＩｄｘ！＝０）、ビュー間予測において参照可能な参照ピクチャが参照ピクチャリストＲｅｆＰｉｃＬｉｓｔＴｅｍｐ１に追加される。追加される参照ピクチャの数は、ｎｕｍ＿ｉｎｔｅｒ−ｖｉｅｗ＿ｒｅｆｅｒｅｎｃｅに等しい。
【０１６１】
具体的には、０からｎｕｍ＿ｉｎｔｅｒ−ｖｉｅｗ＿ｒｅｆｅｒｅｎｃｅ［ＶＯＩｄｘ］−１までの参照ビューインデックスｊについて、ｉｎｔｅｒ−ｖｉｅｗ＿ｒｅｆｅｒｅｎｃｅ［ＶＯＩｄｘ］［ｊ］に対応する参照ピクチャがＲｅｆＰｉｃＬｉｓｔＴｅｍｐ１およびＲｅｆＰｉｃＬｉｓｔ１に追加される。
【０１６２】
本実施の形態では、符号化対象ピクチャから別のビューのピクチャが参照される場合、例えば、ノンベースビューに含まれるピクチャが符号化される場合、別のビューのピクチャが、参照ピクチャとして、符号化対象ピクチャの参照ピクチャリストに追加される。これにより、別のビューのピクチャが、参照ピクチャリストにおいて参照可能に設定され、符号化効率が向上する。
【０１６３】
また、インター予測で参照可能な参照ピクチャの枚数ＮｕｍＰｏｃＴｏｔａｌＣｕｒｒに、ＮｕｍＰｏｃＳｔＣｕｒｒＢｅｆｏｒｅ、ＮｕｍＰｏｃＳｔＣｕｒｒＡｆｔｅｒおよびＮｕｍＰｏｃＬｔＣｕｒｒの総和が設定される。
【０１６４】
さらに、ＮｕｍＰｏｃＴｏｔａｌＣｕｒｒにビュー間予測で参照可能な参照ピクチャの枚数ｎｕｍ＿ｉｎｔｅｒ−ｖｉｅｗ＿ｒｅｆｅｒｅｎｃｅ［ＶＯＩｄｘ］が加算される。これにより、ＮｕｍＰｏｃＴｏｔａｌＣｕｒｒが算出される。そして、ＮｕｍＰｏｃＴｏｔａｌＣｕｒｒの値に基づいて設定可能な値が変動するｌｉｓｔ＿ｅｎｔｒｙ＿ｌ０およびｌｉｓｔ＿ｅｎｔｒｙ＿ｌ１等のパラメータが用いられる。
【０１６５】
これにより、参照ピクチャリストに割り当てられる参照ピクチャを柔軟に変更することが可能であり、符号化効率が向上する。
【０１６６】
なお、本実施の形態では、符号化対象ピクチャから別のビューのピクチャが参照される場合、例えば、ノンベースビューに含まれるピクチャが符号化される場合が例として示されている。しかし、適用範囲はこれには限られない。例えば、符号化対象ピクチャから別のレイヤのピクチャが参照される場合に、本実施の形態で示された方法が適用されてもよい。
【０１６７】
例えば、本実施の形態で示された方法が、ＳＶＣ（Ｓｃａｌａｂｌｅ  Ｖｉｄｅｏ  Ｃｏｄｉｎｇ）等に適用されてもよい。この場合、例えば、インター予測で参照可能な枚数ＮｕｍＰｏｃＴｏｔａｌＣｕｒｒに、ＮｕｍＰｏｃＳｔＣｕｒｒＢｅｆｏｒｅ、ＮｕｍＰｏｃＳｔＣｕｒｒＡｆｔｅｒおよびＮｕｍＰｏｃＬｔＣｕｒｒの総和が設定される。さらに、ＮｕｍＰｏｃＴｏｔａｌＣｕｒｒに別のレイヤに含まれる参照可能な参照ピクチャの枚数が加算されてもよい。
【０１６８】
そして、上記と同様に、ＮｕｍＰｏｃＴｏｔａｌＣｕｒｒの値に基づいて設定可能な値が変動するｌｉｓｔ＿ｅｎｔｒｙ＿ｌ０およびｌｉｓｔ＿ｅｎｔｒｙ＿ｌ１等のパラメータが用いられる。これにより、参照ピクチャリストに割り当てられる参照ピクチャを柔軟に変更することが可能であり、符号化効率が向上する。
【０１６９】
（実施の形態２）
図１７は、本実施の形態に係る画像復号装置の構成を示すブロック図である。図１７の通り、画像復号装置２００は、可変長復号部２０４、逆量子化部２０５、逆直交変換部２０６、加算部２０７、ブロックメモリ２０８、フレームメモリ２０９、イントラ予測部２１０、インター予測部２１１、切り替え部２１２、インター予測制御部２１４、参照ピクチャリスト算出部２１５、および、予測動きベクトル候補算出部２１６を備える。
【０１７０】
可変長復号部２０４は、入力されたビットストリームに対し、可変長復号処理を行い、ピクチャタイプ情報、予測方向フラグ、量子化係数、および、参照ピクチャリスト情報を生成する。また、可変長復号部２０４は、ヘッダ等から復号された予測動きベクトル候補数を用いて、予測動きベクトルインデックスの可変長復号処理を行う。
【０１７１】
逆量子化部２０５は、可変長復号処理によって得られた量子化係数に対し、逆量子化処理を行う。逆直交変換部２０６は、逆量子化処理で得られた直交変換係数を周波数領域から画素領域へ変換し、予測誤差画像データを生成する。ブロックメモリ２０８は、予測誤差画像データと、予測画像データとの加算で生成された画像を、ブロック単位で保存する。そして、フレームメモリ２０９は、画像をフレーム単位で保存する。
【０１７２】
イントラ予測部２１０は、ブロックメモリ２０８に保存されているブロック単位の画像を用いて、イントラ予測を実行することにより、復号対象ブロック（現ブロック）の予測誤差画像データを生成する。インター予測部２１１は、フレームメモリ２０９に保存されているフレーム単位の画像を用いて、インター予測を実行することにより、復号対象ブロックの予測誤差画像データを生成する。
【０１７３】
参照ピクチャリスト算出部２１５は、後述する方法で、復号対象ピクチャ（現ピクチャ）、または、スライスを復号するための参照ピクチャリストを算出し、インター予測制御部２１４、および、予測動きベクトル候補算出部２１６に出力する。
【０１７４】
予測動きベクトル候補算出部２１６は、復号対象ブロックの隣接ブロックの動きベクトル等の情報、および、ｃｏｌＰｉｃメモリに格納されているｃｏ−ｌｏｃａｔｅｄブロックの動きベクトル等の情報を用いて、予測動きベクトル候補を導出する。また、予測動きベクトル候補算出部２１６は、導出された予測動きベクトル候補に対し、予測動きベクトルインデックスの値を割り当てて、予測動きベクトル候補をインター予測制御部２１４に送る。
【０１７５】
インター予測制御部２１４は、予測動きベクトル候補から、復号された予測動きベクトルインデックスに基づいて、インター予測に用いられる動きベクトルを算出し、算出された動きベクトルを用いてインター予測画像を生成する。
【０１７６】
最後に、加算部２０７は、復号された予測画像データと、予測誤差画像データとを加算することにより、復号画像を生成する。
【０１７７】
図１８は、本実施の形態に係る画像復号方法の処理フローの概要である。まず、可変長復号部２０４は、ＳＰＳ、ＰＰＳまたはスライスヘッダ等から、参照ピクチャリストの算出に用いられる参照ピクチャリスト情報を復号する（Ｓ９０１）。参照ピクチャリスト算出部２１５は、図７または図１３と同様の方法で、参照ピクチャリストを算出する（Ｓ９０２）。可変長復号部２０４は、予測方向フラグ、参照ピクチャインデックス、および、差分動きベクトルを復号する（Ｓ９０３）。
【０１７８】
予測動きベクトル候補算出部２１６は、復号対象ブロックの隣接ブロックおよびｃｏ−ｌｏｃａｔｅｄブロックに基づいて、予測動きベクトル候補を生成する。また、可変長復号部２０４は、可変長復号で得られた予測動きベクトル候補リストサイズを用いて、ビットストリームに含まれる予測動きベクトルインデックスを可変長復号する（Ｓ９０４）。
【０１７９】
インター予測制御部２１４は、復号された予測動きベクトルインデックスの示す予測動きベクトル候補に、復号された差分動きベクトルを加算することにより、動きベクトルを算出する。そして、インター予測部２１１は、インター予測画像を生成する（Ｓ９０５）。
【０１８０】
なお、図１８のＳ９０２において、別のビューのピクチャが参照されずに復号対象ピクチャが復号される場合、参照ピクチャリスト算出部２１５は、図７と同様の方法で、参照ピクチャリストを算出する。そして、別のビューのピクチャを参照して復号対象ピクチャが復号される場合、参照ピクチャリスト算出部２１５は、図１３と同様の方法で、参照ピクチャリストを算出する。
【０１８１】
本実施の形態では、別のビューが参照されない場合、例えば、ベースビューが復号される場合、インター予測で参照可能な参照ピクチャの枚数ＮｕｍＰｏｃＴｏｔａｌＣｕｒｒに、ＮｕｍＰｏｃＳｔＣｕｒｒＢｅｆｏｒｅ、ＮｕｍＰｏｃＳｔＣｕｒｒＡｆｔｅｒおよびＮｕｍＰｏｃＬｔＣｕｒｒの総和が設定される。そして、ＮｕｍＰｏｃＴｏｔａｌＣｕｒｒの値に基づいて設定可能な値が変動するｌｉｓｔ＿ｅｎｔｒｙ＿ｌ０およびｌｉｓｔ＿ｅｎｔｒｙ＿ｌ１等のパラメータが用いられる。
【０１８２】
これにより、参照ピクチャリストに割り当てられる参照ピクチャが柔軟に変更される。したがって、高効率の符号化に対応する復号が可能である。
【０１８３】
また、本実施の形態では、復号対象ピクチャから別のビューのピクチャが参照される場合、例えば、ノンベースビューに含まれるピクチャが復号される場合、別のビューのピクチャが、参照ピクチャとして、復号対象ピクチャの参照ピクチャリストに追加される。これにより、別のビューのピクチャが、参照ピクチャリストにおいて参照可能に設定される。したがって、高効率の符号化に対応する復号が可能である。
【０１８４】
また、インター予測で参照可能な参照ピクチャの枚数ＮｕｍＰｏｃＴｏｔａｌＣｕｒｒに、ＮｕｍＰｏｃＳｔＣｕｒｒＢｅｆｏｒｅ、ＮｕｍＰｏｃＳｔＣｕｒｒＡｆｔｅｒおよびＮｕｍＰｏｃＬｔＣｕｒｒの総和が設定される。
【０１８５】
さらに、ＮｕｍＰｏｃＴｏｔａｌＣｕｒｒにビュー間予測で参照可能な参照ピクチャの枚数ｎｕｍ＿ｉｎｔｅｒ−ｖｉｅｗ＿ｒｅｆｅｒｅｎｃｅ［ＶＯＩｄｘ］が加算される。そして、ＮｕｍＰｏｃＴｏｔａｌＣｕｒｒの値に基づいて設定可能な値が変動するｌｉｓｔ＿ｅｎｔｒｙ＿ｌ０およびｌｉｓｔ＿ｅｎｔｒｙ＿ｌ１等のパラメータが用いられる。
【０１８６】
これにより、参照ピクチャリストに割り当てられる参照ピクチャが柔軟に変更される。したがって、高効率の符号化に対応する復号が可能である。
【０１８７】
なお、本実施の形態では、復号対象ピクチャから別のビューのピクチャが参照される場合、例えば、ノンベースビューに含まれるピクチャが復号される場合が例として示されている。しかし、適用範囲はこれには限られない。例えば、復号対象ピクチャから別のレイヤのピクチャが参照される場合に、本実施の形態で示された方法が適用されてもよい。
【０１８８】
例えば、本実施の形態で示された方法が、ＳＶＣ（Ｓｃａｌａｂｌｅ  Ｖｉｄｅｏ  Ｃｏｄｉｎｇ）等に適用されてもよい。この場合、例えば、インター予測で参照可能な枚数ＮｕｍＰｏｃＴｏｔａｌＣｕｒｒに、ＮｕｍＰｏｃＳｔＣｕｒｒＢｅｆｏｒｅ、ＮｕｍＰｏｃＳｔＣｕｒｒＡｆｔｅｒおよびＮｕｍＰｏｃＬｔＣｕｒｒの総和が設定される。さらに、ＮｕｍＰｏｃＴｏｔａｌＣｕｒｒに別のレイヤに含まれる参照可能な参照ピクチャの枚数が加算されてもよい。
【０１８９】
そして、上記と同様に、ＮｕｍＰｏｃＴｏｔａｌＣｕｒｒの値に基づいて設定可能な値が変動するｌｉｓｔ＿ｅｎｔｒｙ＿ｌ０およびｌｉｓｔ＿ｅｎｔｒｙ＿ｌ１等のパラメータが用いられる。これにより、参照ピクチャリストに割り当てられる参照ピクチャが柔軟に変更され、高効率の符号化に対応する復号が可能である。
【０１９０】
（実施の形態３）
本実施の形態では、上記の複数の実施の形態で示された特徴的な構成および特徴的な手順が確認的に示される。
【０１９１】
図１９は、本実施の形態に係る画像符号化装置の構成を示すブロック図である。図１９の通り、画像符号化装置３００は、生成部３０１および符号化部３０２を備える。生成部３０１は、実施の形態１の参照ピクチャリスト算出部１１５等に対応する。符号化部３０２は、実施の形態１のインター予測制御部１１４、インター予測部１１１および可変長符号化部１０４等に対応する。
【０１９２】
図２０は、図１９に示された画像符号化装置３００の動作を示すフローチャートである。画像符号化装置３００は、以下の動作に基づいて、現ピクチャをブロック毎に符号化する。
【０１９３】
まず、生成部３０１は、現ピクチャの符号化において参照可能な参照ピクチャに参照ピクチャインデックスを割り当てる。そして、生成部３０１は、参照ピクチャインデックスが割り当てられた参照ピクチャを含む参照ピクチャリストを生成する（Ｓ１００１）。その際、生成部３０１は、現ピクチャが属する現ビューとは異なる参照ビューに属する参照ピクチャが現ピクチャの符号化において参照される可能性がある場合、参照ビューに属する参照ピクチャを参照ピクチャリストに追加する。
【０１９４】
次に、符号化部３０２は、現ピクチャに含まれる現ブロックの符号化において参照される参照ピクチャを参照ピクチャリストから特定する。そして、符号化部３０２は、特定された参照ピクチャを参照して、現ブロックを符号化する（Ｓ１００２）。
【０１９５】
これにより、ビュー間予測が可能である場合、参照ピクチャリストにビュー間予測のための参照ピクチャが追加される。したがって、参照ピクチャリストから、より適切な参照ピクチャの選択が可能である。よって、符号化効率が向上する。
【０１９６】
なお、生成部３０１は、所定のパラメータ（修正リスト等）を用いて、参照ピクチャリストを生成してもよい。そして、符号化部３０２は、参照ピクチャリストの生成に用いられたパラメータを符号化してもよい。
【０１９７】
また、生成部３０１は、参照ビューに属する参照ピクチャが現ピクチャの符号化において参照される可能性がある場合、現ピクチャの符号化において参照可能な参照ピクチャの数である数を算出してもよい。例えば、この場合、生成部３０１は、現ビューに属する参照可能な参照ピクチャの数に、参照ビューに属する参照可能な参照ピクチャの数を加算することによって、現ピクチャの符号化において参照可能な参照ピクチャの数を算出する。
【０１９８】
そして、この場合、生成部３０１は、参照ピクチャリストに含まれる参照ピクチャに対して割り当てられた参照ピクチャインデックスを修正するための修正リストの値の範囲を、算出された数に基づいて決定してもよい。
【０１９９】
また、例えば、生成部３０１は、現ビューがノンベースビューであるか否かに基づいて、参照ビューに属する参照ピクチャが現ピクチャの符号化において参照される可能性があるか否かを判定してもよい。また、例えば、生成部３０１は、符号化順で現ビューに対して割り当てられたビューオーダーインデックスに基づいて、現ビューがノンベースビューであるか否かを判定してもよい。
【０２００】
図２１は、本実施の形態に係る画像復号装置の構成を示すブロック図である。図２１の通り、画像復号装置４００は、生成部４０１および復号部４０２を備える。生成部４０１は、実施の形態２の参照ピクチャリスト算出部２１５等に対応する。復号部４０２は、実施の形態２のインター予測制御部２１４、インター予測部２１１および可変長復号部２０４等に対応する。
【０２０１】
図２２は、図２１に示された画像復号装置４００の動作を示すフローチャートである。画像復号装置４００は、以下の動作に基づいて、現ピクチャをブロック毎に復号する。
【０２０２】
まず、生成部４０１は、現ピクチャの復号において参照可能な参照ピクチャに参照ピクチャインデックスを割り当てる。そして、生成部４０１は、参照ピクチャインデックスが割り当てられた参照ピクチャを含む参照ピクチャリストを生成する（Ｓ１１０１）。その際、生成部４０１は、現ピクチャが属する現ビューとは異なる参照ビューに属する参照ピクチャが現ピクチャの復号において参照される可能性がある場合、参照ビューに属する参照ピクチャを参照ピクチャリストに追加する。
【０２０３】
次に、復号部４０２は、現ピクチャに含まれる現ブロックの復号において参照される参照ピクチャを参照ピクチャリストから特定する。そして、復号部４０２は、特定された参照ピクチャを参照して、現ブロックを復号する（Ｓ１１０２）。
【０２０４】
これにより、ビュー間予測が可能である場合、参照ピクチャリストにビュー間予測のための参照ピクチャが追加される。したがって、参照ピクチャリストから、より適切な参照ピクチャの選択が可能である。したがって、高効率の符号化に対応する復号が可能である。
【０２０５】
なお、復号部４０２は、参照ピクチャリストの生成に用いられる所定のパラメータ（修正リスト等）を復号してもよい。そして、生成部４０１は、復号されたパラメータを用いて、参照ピクチャリストを生成してもよい。
【０２０６】
また、生成部４０１は、参照ビューに属する参照ピクチャが現ピクチャの復号において参照される可能性がある場合、現ピクチャの復号において参照可能な参照ピクチャの数を算出してもよい。例えば、この場合、生成部４０１は、現ビューに属する参照可能な参照ピクチャの数に、参照ビューに属する参照可能な参照ピクチャの数を加算することによって、現ピクチャの復号において参照可能な参照ピクチャの数を算出する。
【０２０７】
そして、この場合、生成部４０１は、参照ピクチャリストに含まれる参照ピクチャに対して割り当てられた参照ピクチャインデックスを修正するための修正リストの値の範囲を、算出された数に基づいて決定してもよい。
【０２０８】
また、例えば、生成部４０１は、現ビューがノンベースビューであるか否かに基づいて、参照ビューに属する参照ピクチャが現ピクチャの復号において参照される可能性があるか否かを判定してもよい。また、例えば、生成部４０１は、復号順で現ビューに対して割り当てられたビューオーダーインデックスに基づいて、現ビューがノンベースビューであるか否かを判定してもよい。
【０２０９】
以上の通り、本実施の形態に係る画像符号化装置３００および画像復号装置４００は、参照ピクチャリストに別のビューの参照ピクチャを追加する。これにより、より適切な参照ピクチャの選択が可能である。したがって、符号化効率が向上する。
【０２１０】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記各実施の形態の画像符号化装置などを実現するソフトウェアは、次のようなプログラムである。
【０２１１】
すなわち、このプログラムは、コンピュータに、現ピクチャをブロック毎に符号化する画像符号化方法であって、前記現ピクチャの符号化において参照可能な参照ピクチャに参照ピクチャインデックスを割り当てて、前記参照ピクチャインデックスが割り当てられた前記参照ピクチャを含む参照ピクチャリストを生成する生成ステップと、前記現ピクチャに含まれる現ブロックの符号化において参照される参照ピクチャを前記参照ピクチャリストから特定し、特定された前記参照ピクチャを参照して、前記現ブロックを符号化する符号化ステップとを含み、前記生成ステップでは、前記現ピクチャが属する現ビューとは異なる参照ビューに属する参照ピクチャが前記現ピクチャの符号化において参照される可能性がある場合、前記参照ビューに属する参照ピクチャを前記参照ピクチャリストに追加する画像符号化方法を実行させる。
【０２１２】
また、このプログラムは、コンピュータに、現ピクチャをブロック毎に復号する画像復号方法であって、前記現ピクチャの復号において参照可能な参照ピクチャに参照ピクチャインデックスを割り当てて、前記参照ピクチャインデックスが割り当てられた前記参照ピクチャを含む参照ピクチャリストを生成する生成ステップと、前記現ピクチャに含まれる現ブロックの復号において参照される参照ピクチャを前記参照ピクチャリストから特定し、特定された前記参照ピクチャを参照して、前記現ブロックを復号する復号ステップとを含み、前記生成ステップでは、前記現ピクチャが属する現ビューとは異なる参照ビューに属する参照ピクチャが前記現ピクチャの復号において参照される可能性がある場合、前記参照ビューに属する参照ピクチャを前記参照ピクチャリストに追加する画像復号方法を実行させてもよい。
【０２１３】
また、各構成要素は、回路であってもよい。これらの回路は、全体として１つの回路を構成してもよいし、それぞれ別々の回路であってもよい。また、各構成要素は、汎用的なプロセッサで実現されてもよいし、専用のプロセッサで実現されてもよい。
【０２１４】
以上、一つまたは複数の態様に係る画像符号化装置などについて、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【０２１５】
例えば、画像符号化復号装置が、画像符号化装置および画像復号装置を備えてもよい。また、特定の処理部が実行する処理を別の処理部が実行してもよい。また、処理を実行する順番が変更されてもよいし、複数の処理が並行して実行されてもよい。
【０２１６】
（実施の形態４）
上記各実施の形態で示した動画像符号化方法（画像符号化方法）または動画像復号化方法（画像復号方法）の構成を実現するためのプログラムを記憶メディアに記録することにより、上記各実施の形態で示した処理を独立したコンピュータシステムにおいて簡単に実施することが可能となる。記憶メディアは、磁気ディスク、光ディスク、光磁気ディスク、ＩＣカード、半導体メモリ等、プログラムを記録できるものであればよい。
【０２１７】
さらにここで、上記各実施の形態で示した動画像符号化方法（画像符号化方法）や動画像復号化方法（画像復号方法）の応用例とそれを用いたシステムを説明する。当該システムは、画像符号化方法を用いた画像符号化装置、及び画像復号方法を用いた画像復号装置からなる画像符号化復号装置を有することを特徴とする。システムにおける他の構成について、場合に応じて適切に変更することができる。
【０２１８】
図２３は、コンテンツ配信サービスを実現するコンテンツ供給システムex１００の全体構成を示す図である。通信サービスの提供エリアを所望の大きさに分割し、各セル内にそれぞれ固定無線局である基地局ex１０６、ex１０７、ex１０８、ex１０９、ex１１０が設置されている。
【０２１９】
このコンテンツ供給システムex１００は、インターネットex１０１にインターネットサービスプロバイダex１０２および電話網ex１０４、および基地局ex１０６からex１１０を介して、コンピュータex１１１、ＰＤＡ（Personal Digital Assistant）ex１１２、カメラex１１３、携帯電話ex１１４、ゲーム機ex１１５などの各機器が接続される。
【０２２０】
しかし、コンテンツ供給システムex１００は図２３のような構成に限定されず、いずれかの要素を組合せて接続するようにしてもよい。また、固定無線局である基地局ex１０６からex１１０を介さずに、各機器が電話網ex１０４に直接接続されてもよい。また、各機器が近距離無線等を介して直接相互に接続されていてもよい。
【０２２１】
カメラex１１３はデジタルビデオカメラ等の動画撮影が可能な機器であり、カメラex１１６はデジタルカメラ等の静止画撮影、動画撮影が可能な機器である。また、携帯電話ex１１４は、ＧＳＭ（登録商標）（Global System for Mobile Communications）方式、ＣＤＭＡ（Code Division Multiple Access）方式、Ｗ−ＣＤＭＡ（Wideband-Code Division Multiple Access）方式、若しくはＬＴＥ（Long Term Evolution）方式、ＨＳＰＡ(High Speed Packet Access)の携帯電話機、またはＰＨＳ（Personal Handyphone System）等であり、いずれでも構わない。
【０２２２】
コンテンツ供給システムex１００では、カメラex１１３等が基地局ex１０９、電話網ex１０４を通じてストリーミングサーバex１０３に接続されることで、ライブ配信等が可能になる。ライブ配信では、ユーザがカメラex１１３を用いて撮影するコンテンツ（例えば、音楽ライブの映像等）に対して上記各実施の形態で説明したように符号化処理を行い（即ち、本発明の一態様に係る画像符号化装置として機能する）、ストリーミングサーバex１０３に送信する。一方、ストリーミングサーバex１０３は要求のあったクライアントに対して送信されたコンテンツデータをストリーム配信する。クライアントとしては、上記符号化処理されたデータを復号化することが可能な、コンピュータex１１１、ＰＤＡex１１２、カメラex１１３、携帯電話ex１１４、ゲーム機ex１１５等がある。配信されたデータを受信した各機器では、受信したデータを復号化処理して再生する（即ち、本発明の一態様に係る画像復号装置として機能する）。
【０２２３】
なお、撮影したデータの符号化処理はカメラex１１３で行っても、データの送信処理をするストリーミングサーバex１０３で行ってもよいし、互いに分担して行ってもよい。同様に配信されたデータの復号化処理はクライアントで行っても、ストリーミングサーバex１０３で行ってもよいし、互いに分担して行ってもよい。また、カメラex１１３に限らず、カメラex１１６で撮影した静止画像および／または動画像データを、コンピュータex１１１を介してストリーミングサーバex１０３に送信してもよい。この場合の符号化処理はカメラex１１６、コンピュータex１１１、ストリーミングサーバex１０３のいずれで行ってもよいし、互いに分担して行ってもよい。
【０２２４】
また、これら符号化・復号化処理は、一般的にコンピュータex１１１や各機器が有するＬＳＩex５００において処理する。ＬＳＩex５００は、ワンチップであっても複数チップからなる構成であってもよい。なお、動画像符号化・復号化用のソフトウェアをコンピュータex１１１等で読み取り可能な何らかの記録メディア（ＣＤ−ＲＯＭ、フレキシブルディスク、ハードディスクなど）に組み込み、そのソフトウェアを用いて符号化・復号化処理を行ってもよい。さらに、携帯電話ex１１４がカメラ付きである場合には、そのカメラで取得した動画データを送信してもよい。このときの動画データは携帯電話ex１１４が有するＬＳＩex５００で符号化処理されたデータである。
【０２２５】
また、ストリーミングサーバex１０３は複数のサーバや複数のコンピュータであって、データを分散して処理したり記録したり配信するものであってもよい。
【０２２６】
以上のようにして、コンテンツ供給システムex１００では、符号化されたデータをクライアントが受信して再生することができる。このようにコンテンツ供給システムex１００では、ユーザが送信した情報をリアルタイムでクライアントが受信して復号化し、再生することができ、特別な権利や設備を有さないユーザでも個人放送を実現できる。
【０２２７】
なお、コンテンツ供給システムex１００の例に限らず、図２４に示すように、デジタル放送用システムex２００にも、上記各実施の形態の少なくとも動画像符号化装置（画像符号化装置）または動画像復号化装置（画像復号装置）のいずれかを組み込むことができる。具体的には、放送局ex２０１では映像データに音楽データなどが多重化された多重化データが電波を介して通信または衛星ex２０２に伝送される。この映像データは上記各実施の形態で説明した動画像符号化方法により符号化されたデータである（即ち、本発明の一態様に係る画像符号化装置によって符号化されたデータである）。これを受けた放送衛星ex２０２は、放送用の電波を発信し、この電波を衛星放送の受信が可能な家庭のアンテナex２０４が受信する。受信した多重化データを、テレビ（受信機）ex３００またはセットトップボックス（ＳＴＢ）ex２１７等の装置が復号化して再生する（即ち、本発明の一態様に係る画像復号装置として機能する）。
【０２２８】
また、ＤＶＤ、ＢＤ等の記録メディアex２１５に記録した多重化データを読み取り復号化する、または記録メディアex２１５に映像信号を符号化し、さらに場合によっては音楽信号と多重化して書き込むリーダ／レコーダex２１８にも上記各実施の形態で示した動画像復号化装置または動画像符号化装置を実装することが可能である。この場合、再生された映像信号はモニタex２１９に表示され、多重化データが記録された記録メディアex２１５により他の装置やシステムにおいて映像信号を再生することができる。また、ケーブルテレビ用のケーブルex２０３または衛星／地上波放送のアンテナex２０４に接続されたセットトップボックスex２１７内に動画像復号化装置を実装し、これをテレビのモニタex２１９で表示してもよい。このときセットトップボックスではなく、テレビ内に動画像復号化装置を組み込んでもよい。
【０２２９】
図２５は、上記各実施の形態で説明した動画像復号化方法および動画像符号化方法を用いたテレビ（受信機）ex３００を示す図である。テレビex３００は、上記放送を受信するアンテナex２０４またはケーブルex２０３等を介して映像データに音声データが多重化された多重化データを取得、または出力するチューナex３０１と、受信した多重化データを復調する、または外部に送信する多重化データに変調する変調／復調部ex３０２と、復調した多重化データを映像データと、音声データとに分離する、または信号処理部ex３０６で符号化された映像データ、音声データを多重化する多重／分離部ex３０３を備える。
【０２３０】
また、テレビex３００は、音声データ、映像データそれぞれを復号化する、またはそれぞれの情報を符号化する音声信号処理部ex３０４、映像信号処理部ex３０５（本発明の一態様に係る画像符号化装置または画像復号装置として機能する）を有する信号処理部ex３０６と、復号化した音声信号を出力するスピーカex３０７、復号化した映像信号を表示するディスプレイ等の表示部ex３０８を有する出力部ex３０９とを有する。さらに、テレビex３００は、ユーザ操作の入力を受け付ける操作入力部ex３１２等を有するインタフェース部ex３１７を有する。さらに、テレビex３００は、各部を統括的に制御する制御部ex３１０、各部に電力を供給する電源回路部ex３１１を有する。インタフェース部ex３１７は、操作入力部ex３１２以外に、リーダ／レコーダex２１８等の外部機器と接続されるブリッジex３１３、ＳＤカード等の記録メディアex２１６を装着可能とするためのスロット部ex３１４、ハードディスク等の外部記録メディアと接続するためのドライバex３１５、電話網と接続するモデムex３１６等を有していてもよい。なお記録メディアex２１６は、格納する不揮発性／揮発性の半導体メモリ素子により電気的に情報の記録を可能としたものである。テレビex３００の各部は同期バスを介して互いに接続されている。
【０２３１】
まず、テレビex３００がアンテナex２０４等により外部から取得した多重化データを復号化し、再生する構成について説明する。テレビex３００は、リモートコントローラex２２０等からのユーザ操作を受け、ＣＰＵ等を有する制御部ex３１０の制御に基づいて、変調／復調部ex３０２で復調した多重化データを多重／分離部ex３０３で分離する。さらにテレビex３００は、分離した音声データを音声信号処理部ex３０４で復号化し、分離した映像データを映像信号処理部ex３０５で上記各実施の形態で説明した復号化方法を用いて復号化する。復号化した音声信号、映像信号は、それぞれ出力部ex３０９から外部に向けて出力される。出力する際には、音声信号と映像信号が同期して再生するよう、バッファex３１８、ex３１９等に一旦これらの信号を蓄積するとよい。また、テレビex３００は、放送等からではなく、磁気／光ディスク、ＳＤカード等の記録メディアex２１５、ex２１６から多重化データを読み出してもよい。次に、テレビex３００が音声信号や映像信号を符号化し、外部に送信または記録メディア等に書き込む構成について説明する。テレビex３００は、リモートコントローラex２２０等からのユーザ操作を受け、制御部ex３１０の制御に基づいて、音声信号処理部ex３０４で音声信号を符号化し、映像信号処理部ex３０５で映像信号を上記各実施の形態で説明した符号化方法を用いて符号化する。符号化した音声信号、映像信号は多重／分離部ex３０３で多重化され外部に出力される。多重化する際には、音声信号と映像信号が同期するように、バッファex３２０、ex３２１等に一旦これらの信号を蓄積するとよい。なお、バッファex３１８、ex３１９、ex３２０、ex３２１は図示しているように複数備えていてもよいし、１つ以上のバッファを共有する構成であってもよい。さらに、図示している以外に、例えば変調／復調部ex３０２や多重／分離部ex３０３の間等でもシステムのオーバフロー、アンダーフローを避ける緩衝材としてバッファにデータを蓄積することとしてもよい。
【０２３２】
また、テレビex３００は、放送等や記録メディア等から音声データ、映像データを取得する以外に、マイクやカメラのＡＶ入力を受け付ける構成を備え、それらから取得したデータに対して符号化処理を行ってもよい。なお、ここではテレビex３００は上記の符号化処理、多重化、および外部出力ができる構成として説明したが、これらの処理を行うことはできず、上記受信、復号化処理、外部出力のみが可能な構成であってもよい。
【０２３３】
また、リーダ／レコーダex２１８で記録メディアから多重化データを読み出す、または書き込む場合には、上記復号化処理または符号化処理はテレビex３００、リーダ／レコーダex２１８のいずれで行ってもよいし、テレビex３００とリーダ／レコーダex２１８が互いに分担して行ってもよい。
【０２３４】
一例として、光ディスクからデータの読み込みまたは書き込みをする場合の情報再生／記録部ex４００の構成を図２６に示す。情報再生／記録部ex４００は、以下に説明する要素ex４０１、ex４０２、ex４０３、ex４０４、ex４０５、ex４０６、ex４０７を備える。光ヘッドex４０１は、光ディスクである記録メディアex２１５の記録面にレーザスポットを照射して情報を書き込み、記録メディアex２１５の記録面からの反射光を検出して情報を読み込む。変調記録部ex４０２は、光ヘッドex４０１に内蔵された半導体レーザを電気的に駆動し記録データに応じてレーザ光の変調を行う。再生復調部ex４０３は、光ヘッドex４０１に内蔵されたフォトディテクタにより記録面からの反射光を電気的に検出した再生信号を増幅し、記録メディアex２１５に記録された信号成分を分離して復調し、必要な情報を再生する。バッファex４０４は、記録メディアex２１５に記録するための情報および記録メディアex２１５から再生した情報を一時的に保持する。ディスクモータex４０５は記録メディアex２１５を回転させる。サーボ制御部ex４０６は、ディスクモータex４０５の回転駆動を制御しながら光ヘッドex４０１を所定の情報トラックに移動させ、レーザスポットの追従処理を行う。システム制御部ex４０７は、情報再生／記録部ex４００全体の制御を行う。上記の読み出しや書き込みの処理はシステム制御部ex４０７が、バッファex４０４に保持された各種情報を利用し、また必要に応じて新たな情報の生成・追加を行うと共に、変調記録部ex４０２、再生復調部ex４０３、サーボ制御部ex４０６を協調動作させながら、光ヘッドex４０１を通して、情報の記録再生を行うことにより実現される。システム制御部ex４０７は例えばマイクロプロセッサで構成され、読み出し書き込みのプログラムを実行することでそれらの処理を実行する。
【０２３５】
以上では、光ヘッドex４０１はレーザスポットを照射するとして説明したが、近接場光を用いてより高密度な記録を行う構成であってもよい。
【０２３６】
図２７に光ディスクである記録メディアex２１５の模式図を示す。記録メディアex２１５の記録面には案内溝（グルーブ）がスパイラル状に形成され、情報トラックex２３０には、予めグルーブの形状の変化によってディスク上の絶対位置を示す番地情報が記録されている。この番地情報はデータを記録する単位である記録ブロックex２３１の位置を特定するための情報を含み、記録や再生を行う装置において情報トラックex２３０を再生し番地情報を読み取ることで記録ブロックを特定することができる。また、記録メディアex２１５は、データ記録領域ex２３３、内周領域ex２３２、外周領域ex２３４を含んでいる。ユーザデータを記録するために用いる領域がデータ記録領域ex２３３であり、データ記録領域ex２３３より内周または外周に配置されている内周領域ex２３２と外周領域ex２３４は、ユーザデータの記録以外の特定用途に用いられる。情報再生／記録部ex４００は、このような記録メディアex２１５のデータ記録領域ex２３３に対して、符号化された音声データ、映像データまたはそれらのデータを多重化した多重化データの読み書きを行う。
【０２３７】
以上では、１層のＤＶＤ、ＢＤ等の光ディスクを例に挙げ説明したが、これらに限ったものではなく、多層構造であって表面以外にも記録可能な光ディスクであってもよい。また、ディスクの同じ場所にさまざまな異なる波長の色の光を用いて情報を記録したり、さまざまな角度から異なる情報の層を記録したりなど、多次元的な記録／再生を行う構造の光ディスクであってもよい。
【０２３８】
また、デジタル放送用システムex２００において、アンテナex２０５を有する車ex２１０で衛星ex２０２等からデータを受信し、車ex２１０が有するカーナビゲーションex２１１等の表示装置に動画を再生することも可能である。なお、カーナビゲーションex２１１の構成は例えば図２５に示す構成のうち、ＧＰＳ受信部を加えた構成が考えられ、同様なことがコンピュータex１１１や携帯電話ex１１４等でも考えられる。
【０２３９】
図２８Ａは、上記実施の形態で説明した動画像復号化方法および動画像符号化方法を用いた携帯電話ex１１４を示す図である。携帯電話ex１１４は、基地局ex１１０との間で電波を送受信するためのアンテナex３５０、映像、静止画を撮ることが可能なカメラ部ex３６５、カメラ部ex３６５で撮像した映像、アンテナex３５０で受信した映像等が復号化されたデータを表示する液晶ディスプレイ等の表示部ex３５８を備える。携帯電話ex１１４は、さらに、操作キー部ex３６６を有する本体部、音声を出力するためのスピーカ等である音声出力部ex３５７、音声を入力するためのマイク等である音声入力部ex３５６、撮影した映像、静止画、録音した音声、または受信した映像、静止画、メール等の符号化されたデータもしくは復号化されたデータを保存するメモリ部ex３６７、又は同様にデータを保存する記録メディアとのインタフェース部であるスロット部ex３６４を備える。
【０２４０】
さらに、携帯電話ex１１４の構成例について、図２８Ｂを用いて説明する。携帯電話ex１１４は、表示部ex３５８及び操作キー部ex３６６を備えた本体部の各部を統括的に制御する主制御部ex３６０に対して、電源回路部ex３６１、操作入力制御部ex３６２、映像信号処理部ex３５５、カメラインタフェース部ex３６３、ＬＣＤ（Liquid Crystal Display）制御部ex３５９、変調／復調部ex３５２、多重／分離部ex３５３、音声信号処理部ex３５４、スロット部ex３６４、メモリ部ex３６７がバスex３７０を介して互いに接続されている。
【０２４１】
電源回路部ex３６１は、ユーザの操作により終話及び電源キーがオン状態にされると、バッテリパックから各部に対して電力を供給することにより携帯電話ex１１４を動作可能な状態に起動する。
【０２４２】
携帯電話ex１１４は、ＣＰＵ、ＲＯＭ、ＲＡＭ等を有する主制御部ex３６０の制御に基づいて、音声通話モード時に音声入力部ex３５６で収音した音声信号を音声信号処理部ex３５４でデジタル音声信号に変換し、これを変調／復調部ex３５２でスペクトラム拡散処理し、送信／受信部ex３５１でデジタルアナログ変換処理および周波数変換処理を施した後にアンテナex３５０を介して送信する。また携帯電話ex１１４は、音声通話モード時にアンテナex３５０を介して受信した受信データを増幅して周波数変換処理およびアナログデジタル変換処理を施し、変調／復調部ex３５２でスペクトラム逆拡散処理し、音声信号処理部ex３５４でアナログ音声信号に変換した後、これを音声出力部ex３５７から出力する。
【０２４３】
さらにデータ通信モード時に電子メールを送信する場合、本体部の操作キー部ex３６６等の操作によって入力された電子メールのテキストデータは操作入力制御部ex３６２を介して主制御部ex３６０に送出される。主制御部ex３６０は、テキストデータを変調／復調部ex３５２でスペクトラム拡散処理をし、送信／受信部ex３５１でデジタルアナログ変換処理および周波数変換処理を施した後にアンテナex３５０を介して基地局ex１１０へ送信する。電子メールを受信する場合は、受信したデータに対してこのほぼ逆の処理が行われ、表示部ex３５８に出力される。
【０２４４】
データ通信モード時に映像、静止画、または映像と音声を送信する場合、映像信号処理部ex３５５は、カメラ部ex３６５から供給された映像信号を上記各実施の形態で示した動画像符号化方法によって圧縮符号化し（即ち、本発明の一態様に係る画像符号化装置として機能する）、符号化された映像データを多重／分離部ex３５３に送出する。また、音声信号処理部ex３５４は、映像、静止画等をカメラ部ex３６５で撮像中に音声入力部ex３５６で収音した音声信号を符号化し、符号化された音声データを多重／分離部ex３５３に送出する。
【０２４５】
多重／分離部ex３５３は、映像信号処理部ex３５５から供給された符号化された映像データと音声信号処理部ex３５４から供給された符号化された音声データを所定の方式で多重化し、その結果得られる多重化データを変調／復調部（変調／復調回路部）ex３５２でスペクトラム拡散処理をし、送信／受信部ex３５１でデジタルアナログ変換処理及び周波数変換処理を施した後にアンテナex３５０を介して送信する。
【０２４６】
データ通信モード時にホームページ等にリンクされた動画像ファイルのデータを受信する場合、または映像およびもしくは音声が添付された電子メールを受信する場合、アンテナex３５０を介して受信された多重化データを復号化するために、多重／分離部ex３５３は、多重化データを分離することにより映像データのビットストリームと音声データのビットストリームとに分け、同期バスex３７０を介して符号化された映像データを映像信号処理部ex３５５に供給するとともに、符号化された音声データを音声信号処理部ex３５４に供給する。映像信号処理部ex３５５は、上記各実施の形態で示した動画像符号化方法に対応した動画像復号化方法によって復号化することにより映像信号を復号し（即ち、本発明の一態様に係る画像復号装置として機能する）、ＬＣＤ制御部ex３５９を介して表示部ex３５８から、例えばホームページにリンクされた動画像ファイルに含まれる映像、静止画が表示される。また音声信号処理部ex３５４は、音声信号を復号し、音声出力部ex３５７から音声が出力される。
【０２４７】
また、上記携帯電話ex１１４等の端末は、テレビex３００と同様に、符号化器・復号化器を両方持つ送受信型端末の他に、符号化器のみの送信端末、復号化器のみの受信端末という３通りの実装形式が考えられる。さらに、デジタル放送用システムex２００において、映像データに音楽データなどが多重化された多重化データを受信、送信するとして説明したが、音声データ以外に映像に関連する文字データなどが多重化されたデータであってもよいし、多重化データではなく映像データ自体であってもよい。
【０２４８】
このように、上記各実施の形態で示した動画像符号化方法あるいは動画像復号化方法を上述したいずれの機器・システムに用いることは可能であり、そうすることで、上記各実施の形態で説明した効果を得ることができる。
【０２４９】
また、本発明はかかる上記実施の形態に限定されるものではなく、本発明の範囲を逸脱することなく種々の変形または修正が可能である。
【０２５０】
（実施の形態５）
上記各実施の形態で示した動画像符号化方法または装置と、ＭＰＥＧ−２、ＭＰＥＧ４−ＡＶＣ、ＶＣ−１など異なる規格に準拠した動画像符号化方法または装置とを、必要に応じて適宜切替えることにより、映像データを生成することも可能である。
【０２５１】
ここで、それぞれ異なる規格に準拠する複数の映像データを生成した場合、復号する際に、それぞれの規格に対応した復号方法を選択する必要がある。しかしながら、復号する映像データが、どの規格に準拠するものであるか識別できないため、適切な復号方法を選択することができないという課題を生じる。
【０２５２】
この課題を解決するために、映像データに音声データなどを多重化した多重化データは、映像データがどの規格に準拠するものであるかを示す識別情報を含む構成とする。上記各実施の形態で示す動画像符号化方法または装置によって生成された映像データを含む多重化データの具体的な構成を以下説明する。多重化データは、ＭＰＥＧ−２トランスポートストリーム形式のデジタルストリームである。
【０２５３】
図２９は、多重化データの構成を示す図である。図２９に示すように多重化データは、ビデオストリーム、オーディオストリーム、プレゼンテーショングラフィックスストリーム（ＰＧ）、インタラクティブグラフィックスストリームのうち、１つ以上を多重化することで得られる。ビデオストリームは映画の主映像および副映像を、オーディオストリーム（ＩＧ）は映画の主音声部分とその主音声とミキシングする副音声を、プレゼンテーショングラフィックスストリームは、映画の字幕をそれぞれ示している。ここで主映像とは画面に表示される通常の映像を示し、副映像とは主映像の中に小さな画面で表示する映像のことである。また、インタラクティブグラフィックスストリームは、画面上にＧＵＩ部品を配置することにより作成される対話画面を示している。ビデオストリームは、上記各実施の形態で示した動画像符号化方法または装置、従来のＭＰＥＧ−２、ＭＰＥＧ４−ＡＶＣ、ＶＣ−１などの規格に準拠した動画像符号化方法または装置によって符号化されている。オーディオストリームは、ドルビーＡＣ−３、Ｄｏｌｂｙ  Ｄｉｇｉｔａｌ  Ｐｌｕｓ、ＭＬＰ、ＤＴＳ、ＤＴＳ−ＨＤ、または、リニアＰＣＭのなどの方式で符号化されている。
【０２５４】
多重化データに含まれる各ストリームはＰＩＤによって識別される。例えば、映画の映像に利用するビデオストリームには０ｘ１０１１が、オーディオストリームには０ｘ１１００から０ｘ１１１Ｆまでが、プレゼンテーショングラフィックスには０ｘ１２００から０ｘ１２１Ｆまでが、インタラクティブグラフィックスストリームには０ｘ１４００から０ｘ１４１Ｆまでが、映画の副映像に利用するビデオストリームには０ｘ１Ｂ００から０ｘ１Ｂ１Ｆまで、主音声とミキシングする副音声に利用するオーディオストリームには０ｘ１Ａ００から０ｘ１Ａ１Ｆが、それぞれ割り当てられている。
【０２５５】
図３０は、多重化データがどのように多重化されるかを模式的に示す図である。まず、複数のビデオフレームからなるビデオストリームex２３５、複数のオーディオフレームからなるオーディオストリームex２３８を、それぞれＰＥＳパケット列ex２３６およびex２３９に変換し、ＴＳパケットex２３７およびex２４０に変換する。同じくプレゼンテーショングラフィックスストリームex２４１およびインタラクティブグラフィックスex２４４のデータをそれぞれＰＥＳパケット列ex２４２およびex２４５に変換し、さらにＴＳパケットex２４３およびex２４６に変換する。多重化データex２４７はこれらのＴＳパケットを１本のストリームに多重化することで構成される。
【０２５６】
図３１は、ＰＥＳパケット列に、ビデオストリームがどのように格納されるかをさらに詳しく示している。図３１における第１段目はビデオストリームのビデオフレーム列を示す。第２段目は、ＰＥＳパケット列を示す。図３１の矢印ｙｙ１，ｙｙ２，ｙｙ３，ｙｙ４に示すように、ビデオストリームにおける複数のＶｉｄｅｏ  Ｐｒｅｓｅｎｔａｔｉｏｎ  ＵｎｉｔであるＩピクチャ、Ｂピクチャ、Ｐピクチャは、ピクチャ毎に分割され、ＰＥＳパケットのペイロードに格納される。各ＰＥＳパケットはＰＥＳヘッダを持ち、ＰＥＳヘッダには、ピクチャの表示時刻であるＰＴＳ（Ｐｒｅｓｅｎｔａｔｉｏｎ  Ｔｉｍｅ−Ｓｔａｍｐ）やピクチャの復号時刻であるＤＴＳ（Ｄｅｃｏｄｉｎｇ  Ｔｉｍｅ−Ｓｔａｍｐ）が格納される。
【０２５７】
図３２は、多重化データに最終的に書き込まれるＴＳパケットの形式を示している。ＴＳパケットは、ストリームを識別するＰＩＤなどの情報を持つ４ＢｙｔｅのＴＳヘッダとデータを格納する１８４ＢｙｔｅのＴＳペイロードから構成される１８８Ｂｙｔｅ固定長のパケットであり、上記ＰＥＳパケットは分割されＴＳペイロードに格納される。ＢＤ−ＲＯＭの場合、ＴＳパケットには、４ＢｙｔｅのＴＰ＿Ｅｘｔｒａ＿Ｈｅａｄｅｒが付与され、１９２Ｂｙｔｅのソースパケットを構成し、多重化データに書き込まれる。ＴＰ＿Ｅｘｔｒａ＿ＨｅａｄｅｒにはＡＴＳ（Ａｒｒｉｖａｌ＿Ｔｉｍｅ＿Ｓｔａｍｐ）などの情報が記載される。ＡＴＳは当該ＴＳパケットのデコーダのＰＩＤフィルタへの転送開始時刻を示す。多重化データには図３２下段に示すようにソースパケットが並ぶこととなり、多重化データの先頭からインクリメントする番号はＳＰＮ（ソースパケットナンバー）と呼ばれる。
【０２５８】
また、多重化データに含まれるＴＳパケットには、映像・音声・字幕などの各ストリーム以外にもＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、ＰＣＲ（Ｐｒｏｇｒａｍ  Ｃｌｏｃｋ  Ｒｅｆｅｒｅｎｃｅ）などがある。ＰＡＴは多重化データ中に利用されるＰＭＴのＰＩＤが何であるかを示し、ＰＡＴ自身のＰＩＤは０で登録される。ＰＭＴは、多重化データ中に含まれる映像・音声・字幕などの各ストリームのＰＩＤと各ＰＩＤに対応するストリームの属性情報を持ち、また多重化データに関する各種ディスクリプタを持つ。ディスクリプタには多重化データのコピーを許可・不許可を指示するコピーコントロール情報などがある。ＰＣＲは、ＡＴＳの時間軸であるＡＴＣ（Ａｒｒｉｖａｌ  Ｔｉｍｅ  Ｃｌｏｃｋ）とＰＴＳ・ＤＴＳの時間軸であるＳＴＣ（Ｓｙｓｔｅｍ  Ｔｉｍｅ  Ｃｌｏｃｋ）の同期を取るために、そのＰＣＲパケットがデコーダに転送されるＡＴＳに対応するＳＴＣ時間の情報を持つ。
【０２５９】
図３３はＰＭＴのデータ構造を詳しく説明する図である。ＰＭＴの先頭には、そのＰＭＴに含まれるデータの長さなどを記したＰＭＴヘッダが配置される。その後ろには、多重化データに関するディスクリプタが複数配置される。上記コピーコントロール情報などが、ディスクリプタとして記載される。ディスクリプタの後には、多重化データに含まれる各ストリームに関するストリーム情報が複数配置される。ストリーム情報は、ストリームの圧縮コーデックなどを識別するためストリームタイプ、ストリームのＰＩＤ、ストリームの属性情報（フレームレート、アスペクト比など）が記載されたストリームディスクリプタから構成される。ストリームディスクリプタは多重化データに存在するストリームの数だけ存在する。
【０２６０】
記録媒体などに記録する場合には、上記多重化データは、多重化データ情報ファイルと共に記録される。
【０２６１】
多重化データ情報ファイルは、図３４に示すように多重化データの管理情報であり、多重化データと１対１に対応し、多重化データ情報、ストリーム属性情報とエントリマップから構成される。
【０２６２】
多重化データ情報は図３４に示すようにシステムレート、再生開始時刻、再生終了時刻から構成されている。システムレートは多重化データの、後述するシステムターゲットデコーダのＰＩＤフィルタへの最大転送レートを示す。多重化データ中に含まれるＡＴＳの間隔はシステムレート以下になるように設定されている。再生開始時刻は多重化データの先頭のビデオフレームのＰＴＳであり、再生終了時刻は多重化データの終端のビデオフレームのＰＴＳに１フレーム分の再生間隔を足したものが設定される。
【０２６３】
ストリーム属性情報は図３５に示すように、多重化データに含まれる各ストリームについての属性情報が、ＰＩＤ毎に登録される。属性情報はビデオストリーム、オーディオストリーム、プレゼンテーショングラフィックスストリーム、インタラクティブグラフィックスストリーム毎に異なる情報を持つ。ビデオストリーム属性情報は、そのビデオストリームがどのような圧縮コーデックで圧縮されたか、ビデオストリームを構成する個々のピクチャデータの解像度がどれだけであるか、アスペクト比はどれだけであるか、フレームレートはどれだけであるかなどの情報を持つ。オーディオストリーム属性情報は、そのオーディオストリームがどのような圧縮コーデックで圧縮されたか、そのオーディオストリームに含まれるチャンネル数は何であるか、何の言語に対応するか、サンプリング周波数がどれだけであるかなどの情報を持つ。これらの情報は、プレーヤが再生する前のデコーダの初期化などに利用される。
【０２６４】
本実施の形態においては、上記多重化データのうち、ＰＭＴに含まれるストリームタイプを利用する。また、記録媒体に多重化データが記録されている場合には、多重化データ情報に含まれる、ビデオストリーム属性情報を利用する。具体的には、上記各実施の形態で示した動画像符号化方法または装置において、ＰＭＴに含まれるストリームタイプ、または、ビデオストリーム属性情報に対し、上記各実施の形態で示した動画像符号化方法または装置によって生成された映像データであることを示す固有の情報を設定するステップまたは手段を設ける。この構成により、上記各実施の形態で示した動画像符号化方法または装置によって生成した映像データと、他の規格に準拠する映像データとを識別することが可能になる。
【０２６５】
また、本実施の形態における動画像復号化方法のステップを図３６に示す。ステップexＳ１００において、多重化データからＰＭＴに含まれるストリームタイプ、または、多重化データ情報に含まれるビデオストリーム属性情報を取得する。次に、ステップexＳ１０１において、ストリームタイプ、または、ビデオストリーム属性情報が上記各実施の形態で示した動画像符号化方法または装置によって生成された多重化データであることを示しているか否かを判断する。そして、ストリームタイプ、または、ビデオストリーム属性情報が上記各実施の形態で示した動画像符号化方法または装置によって生成されたものであると判断された場合には、ステップexＳ１０２において、上記各実施の形態で示した動画像復号方法により候補から参照ピクチャや動きベクトルを選択して復号を行う。また、ストリームタイプ、または、ビデオストリーム属性情報が、従来のＭＰＥＧ−２、ＭＰＥＧ４−ＡＶＣ、ＶＣ−１などの規格に準拠するものであることを示している場合には、ステップexＳ１０３において、従来の規格に準拠した動画像復号方法により復号を行う。これは例えば、属性情報がＭＰＥＧ４−ＡＶＣ規格に準拠するものであることを示している場合であれば、複数候補から選択するのではなく、空間的又は時間的に隣接する周辺ブロックの動きベクトルから算出される動きベクトルを用いて復号を行う。
【０２６６】
このように、ストリームタイプ、または、ビデオストリーム属性情報に新たな固有値を設定することにより、復号する際に、上記各実施の形態で示した動画像復号化方法または装置で復号可能であるかを判断することができる。従って、異なる規格に準拠する多重化データが入力された場合であっても、適切な復号化方法または装置を選択することができるため、エラーを生じることなく復号することが可能となる。また、本実施の形態で示した動画像符号化方法または装置、または、動画像復号方法または装置を、上述したいずれの機器・システムに用いることも可能である。
【０２６７】
（実施の形態６）
上記各実施の形態で示した動画像符号化方法および装置、動画像復号化方法および装置は、典型的には集積回路であるＬＳＩで実現される。一例として、図３７に１チップ化されたＬＳＩex５００の構成を示す。ＬＳＩex５００は、以下に説明する要素ex５０１、ex５０２、ex５０３、ex５０４、ex５０５、ex５０６、ex５０７、ex５０８、ex５０９を備え、各要素はバスex５１０を介して接続している。電源回路部ex５０５は電源がオン状態の場合に各部に対して電力を供給することで動作可能な状態に起動する。
【０２６８】
例えば符号化処理を行う場合には、ＬＳＩex５００は、ＣＰＵex５０２、メモリコントローラex５０３、ストリームコントローラex５０４、駆動周波数制御部ex５１２等を有する制御部ex５０１の制御に基づいて、ＡＶ  Ｉ／Ｏex５０９によりマイクex１１７やカメラex１１３等からＡＶ信号を入力する。入力されたＡＶ信号は、一旦ＳＤＲＡＭ等の外部のメモリex５１１に蓄積される。制御部ex５０１の制御に基づいて、蓄積したデータは処理量や処理速度に応じて適宜複数回に分けるなどされ信号処理部ex５０７に送られ、信号処理部ex５０７において音声信号の符号化および／または映像信号の符号化が行われる。ここで映像信号の符号化処理は上記各実施の形態で説明した符号化処理である。信号処理部ex５０７ではさらに、場合により符号化された音声データと符号化された映像データを多重化するなどの処理を行い、ストリームＩ／Ｏex５０６から外部に出力する。この出力された多重化データは、基地局ex１０７に向けて送信されたり、または記録メディアex２１５に書き込まれたりする。なお、多重化する際には同期するよう、一旦バッファex５０８にデータを蓄積するとよい。
【０２６９】
なお、上記では、メモリex５１１がＬＳＩex５００の外部の構成として説明したが、ＬＳＩex５００の内部に含まれる構成であってもよい。バッファex５０８も１つに限ったものではなく、複数のバッファを備えていてもよい。また、ＬＳＩex５００は１チップ化されてもよいし、複数チップ化されてもよい。
【０２７０】
また、上記では、制御部ex５０１が、ＣＰＵex５０２、メモリコントローラex５０３、ストリームコントローラex５０４、駆動周波数制御部ex５１２等を有するとしているが、制御部ex５０１の構成は、この構成に限らない。例えば、信号処理部ex５０７がさらにＣＰＵを備える構成であってもよい。信号処理部ex５０７の内部にもＣＰＵを設けることにより、処理速度をより向上させることが可能になる。また、他の例として、ＣＰＵex５０２が信号処理部ex５０７、または信号処理部ex５０７の一部である例えば音声信号処理部を備える構成であってもよい。このような場合には、制御部ex５０１は、信号処理部ex５０７、またはその一部を有するＣＰＵex５０２を備える構成となる。
【０２７１】
なお、ここでは、ＬＳＩとしたが、集積度の違いにより、ＩＣ、システムＬＳＩ、スーパーＬＳＩ、ウルトラＬＳＩと呼称されることもある。
【０２７２】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。このようなプログラマブル・ロジック・デバイスは、典型的には、ソフトウェア又はファームウェアを構成するプログラムを、ロードする又はメモリ等から読み込むことで、上記各実施の形態で示した動画像符号化方法、又は動画像復号化方法を実行することができる。
【０２７３】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【０２７４】
（実施の形態７）
上記各実施の形態で示した動画像符号化方法または装置によって生成された映像データを復号する場合、従来のＭＰＥＧ−２、ＭＰＥＧ４−ＡＶＣ、ＶＣ−１などの規格に準拠する映像データを復号する場合に比べ、処理量が増加することが考えられる。そのため、ＬＳＩex５００において、従来の規格に準拠する映像データを復号する際のＣＰＵex５０２の駆動周波数よりも高い駆動周波数に設定する必要がある。しかし、駆動周波数を高くすると、消費電力が高くなるという課題が生じる。
【０２７５】
この課題を解決するために、テレビex３００、ＬＳＩex５００などの動画像復号化装置は、映像データがどの規格に準拠するものであるかを識別し、規格に応じて駆動周波数を切替える構成とする。図３８は、本実施の形態における構成ex８００を示している。駆動周波数切替え部ex８０３は、映像データが、上記各実施の形態で示した動画像符号化方法または装置によって生成されたものである場合には、駆動周波数を高く設定する。そして、上記各実施の形態で示した動画像復号化方法を実行する復号処理部ex８０１に対し、映像データを復号するよう指示する。一方、映像データが、従来の規格に準拠する映像データである場合には、映像データが、上記各実施の形態で示した動画像符号化方法または装置によって生成されたものである場合に比べ、駆動周波数を低く設定する。そして、従来の規格に準拠する復号処理部ex８０２に対し、映像データを復号するよう指示する。
【０２７６】
より具体的には、駆動周波数切替え部ex８０３は、図３７のＣＰＵex５０２と駆動周波数制御部ex５１２から構成される。また、上記各実施の形態で示した動画像復号化方法を実行する復号処理部ex８０１、および、従来の規格に準拠する復号処理部ex８０２は、図３７の信号処理部ex５０７に該当する。ＣＰＵex５０２は、映像データがどの規格に準拠するものであるかを識別する。そして、ＣＰＵex５０２からの信号に基づいて、駆動周波数制御部ex５１２は、駆動周波数を設定する。また、ＣＰＵex５０２からの信号に基づいて、信号処理部ex５０７は、映像データの復号を行う。ここで、映像データの識別には、例えば、実施の形態５で記載した識別情報を利用することが考えられる。識別情報に関しては、実施の形態５で記載したものに限られず、映像データがどの規格に準拠するか識別できる情報であればよい。例えば、映像データがテレビに利用されるものであるか、ディスクに利用されるものであるかなどを識別する外部信号に基づいて、映像データがどの規格に準拠するものであるか識別可能である場合には、このような外部信号に基づいて識別してもよい。また、ＣＰＵex５０２における駆動周波数の選択は、例えば、図４０のような映像データの規格と、駆動周波数とを対応付けたルックアップテーブルに基づいて行うことが考えられる。ルックアップテーブルを、バッファex５０８や、ＬＳＩの内部メモリに格納しておき、ＣＰＵex５０２がこのルックアップテーブルを参照することにより、駆動周波数を選択することが可能である。
【０２７７】
図３９は、本実施の形態の方法を実施するステップを示している。まず、ステップexＳ２００では、信号処理部ex５０７において、多重化データから識別情報を取得する。次に、ステップexＳ２０１では、ＣＰＵex５０２において、識別情報に基づいて映像データが上記各実施の形態で示した符号化方法または装置によって生成されたものであるか否かを識別する。映像データが上記各実施の形態で示した符号化方法または装置によって生成されたものである場合には、ステップexＳ２０２において、駆動周波数を高く設定する信号を、ＣＰＵex５０２が駆動周波数制御部ex５１２に送る。そして、駆動周波数制御部ex５１２において、高い駆動周波数に設定される。一方、従来のＭＰＥＧ−２、ＭＰＥＧ４−ＡＶＣ、ＶＣ−１などの規格に準拠する映像データであることを示している場合には、ステップexＳ２０３において、駆動周波数を低く設定する信号を、ＣＰＵex５０２が駆動周波数制御部ex５１２に送る。そして、駆動周波数制御部ex５１２において、映像データが上記各実施の形態で示した符号化方法または装置によって生成されたものである場合に比べ、低い駆動周波数に設定される。
【０２７８】
さらに、駆動周波数の切替えに連動して、ＬＳＩex５００またはＬＳＩex５００を含む装置に与える電圧を変更することにより、省電力効果をより高めることが可能である。例えば、駆動周波数を低く設定する場合には、これに伴い、駆動周波数を高く設定している場合に比べ、ＬＳＩex５００またはＬＳＩex５００を含む装置に与える電圧を低く設定することが考えられる。
【０２７９】
また、駆動周波数の設定方法は、復号する際の処理量が大きい場合に、駆動周波数を高く設定し、復号する際の処理量が小さい場合に、駆動周波数を低く設定すればよく、上述した設定方法に限らない。例えば、ＭＰＥＧ４−ＡＶＣ規格に準拠する映像データを復号する処理量の方が、上記各実施の形態で示した動画像符号化方法または装置により生成された映像データを復号する処理量よりも大きい場合には、駆動周波数の設定を上述した場合の逆にすることが考えられる。
【０２８０】
さらに、駆動周波数の設定方法は、駆動周波数を低くする構成に限らない。例えば、識別情報が、上記各実施の形態で示した動画像符号化方法または装置によって生成された映像データであることを示している場合には、ＬＳＩex５００またはＬＳＩex５００を含む装置に与える電圧を高く設定し、従来のＭＰＥＧ−２、ＭＰＥＧ４−ＡＶＣ、ＶＣ−１などの規格に準拠する映像データであることを示している場合には、ＬＳＩex５００またはＬＳＩex５００を含む装置に与える電圧を低く設定することも考えられる。また、他の例としては、識別情報が、上記各実施の形態で示した動画像符号化方法または装置によって生成された映像データであることを示している場合には、ＣＰＵex５０２の駆動を停止させることなく、従来のＭＰＥＧ−２、ＭＰＥＧ４−ＡＶＣ、ＶＣ−１などの規格に準拠する映像データであることを示している場合には、処理に余裕があるため、ＣＰＵex５０２の駆動を一時停止させることも考えられる。識別情報が、上記各実施の形態で示した動画像符号化方法または装置によって生成された映像データであることを示している場合であっても、処理に余裕があれば、ＣＰＵex５０２の駆動を一時停止させることも考えられる。この場合は、従来のＭＰＥＧ−２、ＭＰＥＧ４−ＡＶＣ、ＶＣ−１などの規格に準拠する映像データであることを示している場合に比べて、停止時間を短く設定することが考えられる。
【０２８１】
このように、映像データが準拠する規格に応じて、駆動周波数を切替えることにより、省電力化を図ることが可能になる。また、電池を用いてＬＳＩex５００またはＬＳＩex５００を含む装置を駆動している場合には、省電力化に伴い、電池の寿命を長くすることが可能である。
【０２８２】
（実施の形態８）
テレビや、携帯電話など、上述した機器・システムには、異なる規格に準拠する複数の映像データが入力される場合がある。このように、異なる規格に準拠する複数の映像データが入力された場合にも復号できるようにするために、ＬＳＩex５００の信号処理部ex５０７が複数の規格に対応している必要がある。しかし、それぞれの規格に対応する信号処理部ex５０７を個別に用いると、ＬＳＩex５００の回路規模が大きくなり、また、コストが増加するという課題が生じる。
【０２８３】
この課題を解決するために、上記各実施の形態で示した動画像復号方法を実行するための復号処理部と、従来のＭＰＥＧ−２、ＭＰＥＧ４−ＡＶＣ、ＶＣ−１などの規格に準拠する復号処理部とを一部共有化する構成とする。この構成例を図４１Ａのex９００に示す。例えば、上記各実施の形態で示した動画像復号方法と、ＭＰＥＧ４−ＡＶＣ規格に準拠する動画像復号方法とは、エントロピー符号化、逆量子化、デブロッキング・フィルタ、動き補償などの処理において処理内容が一部共通する。共通する処理内容については、ＭＰＥＧ４−ＡＶＣ規格に対応する復号処理部ex９０２を共有し、ＭＰＥＧ４−ＡＶＣ規格に対応しない、本発明の一態様に特有の他の処理内容については、専用の復号処理部ex９０１を用いるという構成が考えられる。特に、本発明の一態様は、動き補償に特徴を有していることから、例えば、動き補償については専用の復号処理部ex９０１を用い、それ以外のエントロピー復号、デブロッキング・フィルタ、逆量子化のいずれか、または、全ての処理については、復号処理部を共有することが考えられる。復号処理部の共有化に関しては、共通する処理内容については、上記各実施の形態で示した動画像復号化方法を実行するための復号処理部を共有し、ＭＰＥＧ４−ＡＶＣ規格に特有の処理内容については、専用の復号処理部を用いる構成であってもよい。
【０２８４】
また、処理を一部共有化する他の例を図４１Ｂのex１０００に示す。この例では、本発明の一態様に特有の処理内容に対応した専用の復号処理部ex１００１と、他の従来規格に特有の処理内容に対応した専用の復号処理部ex１００２と、本発明の一態様に係る動画像復号方法と他の従来規格の動画像復号方法とに共通する処理内容に対応した共用の復号処理部ex１００３とを用いる構成としている。ここで、専用の復号処理部ex１００１、ex１００２は、必ずしも本発明の一態様、または、他の従来規格に特有の処理内容に特化したものではなく、他の汎用処理を実行できるものであってもよい。また、本実施の形態の構成を、ＬＳＩex５００で実装することも可能である。
【０２８５】
このように、本発明の一態様に係る動画像復号方法と、従来の規格の動画像復号方法とで共通する処理内容について、復号処理部を共有することにより、ＬＳＩの回路規模を小さくし、かつ、コストを低減することが可能である。
【産業上の利用可能性】
【０２８６】
本発明は、例えば、テレビジョン受像機、デジタルビデオレコーダー、カーナビゲーション、携帯電話、デジタルカメラ、または、デジタルビデオカメラ等に利用可能である。
【符号の説明】
【０２８７】
１００、３００  画像符号化装置
１０１  減算部
１０２  直交変換部
１０３  量子化部
１０４  可変長符号化部
１０５、２０５  逆量子化部
１０６、２０６  逆直交変換部
１０７、２０７  加算部
１０８、２０８  ブロックメモリ
１０９、２０９  フレームメモリ
１１０、２１０  イントラ予測部
１１１、２１１  インター予測部
１１２、２１２  切り替え部
１１３  ピクチャタイプ決定部
１１４、２１４  インター予測制御部
１１５、２１５  参照ピクチャリスト算出部
１１６、２１６  予測動きベクトル候補算出部
２００、４００  画像復号装置
２０４  可変長復号部
３０１、４０１  生成部
３０２  符号化部
４０２  復号部
【図１】
2013128832.tif 000003
【図２】
2013128832.tif 000004
【図３】
2013128832.tif 000005
【図４】
2013128832.tif 000006
【図５】
2013128832.tif 000007
【図６】
2013128832.tif 000008
【図７】
2013128832.tif 000009
【図８】
2013128832.tif 000010
【図９】
2013128832.tif 000011
【図１０】
2013128832.tif 000012
【図１１Ａ】
2013128832.tif 000013
【図１１Ｂ】
2013128832.tif 000014
【図１１Ｃ】
2013128832.tif 000015
【図１１Ｄ】
2013128832.tif 000016
【図１２Ａ】
2013128832.tif 000017
【図１２Ｂ】
2013128832.tif 000018
【図１２Ｃ】
2013128832.tif 000019
【図１２Ｄ】
2013128832.tif 000020
【図１３】
2013128832.tif 000021
【図１４】
2013128832.tif 000022
【図１５】
2013128832.tif 000023
【図１６】
2013128832.tif 000024
【図１７】
2013128832.tif 000025
【図１８】
2013128832.tif 000026
【図１９】
2013128832.tif 000027
【図２０】
2013128832.tif 000028
【図２１】
2013128832.tif 000029
【図２２】
2013128832.tif 000030
【図２３】
2013128832.tif 000031
【図２４】
2013128832.tif 000032
【図２５】
2013128832.tif 000033
【図２６】
2013128832.tif 000034
【図２７】
2013128832.tif 000035
【図２８Ａ】
2013128832.tif 000036
【図２８Ｂ】
2013128832.tif 000037
【図２９】
2013128832.tif 000038
【図３０】
2013128832.tif 000039
【図３１】
2013128832.tif 000040
【図３２】
2013128832.tif 000041
【図３３】
2013128832.tif 000042
【図３４】
2013128832.tif 000043
【図３５】
2013128832.tif 000044
【図３６】
2013128832.tif 000045
【図３７】
2013128832.tif 000046
【図３８】
2013128832.tif 000047
【図３９】
2013128832.tif 000048
【図４０】
2013128832.tif 000049
【図４１Ａ】
2013128832.tif 000050
【図４１Ｂ】
2013128832.tif 000051
【国際調査報告】
2013128832.tif 000052
2013128832.tif 000053
2013128832.tif 000054
2013128832.tif 000055